(57)【要約】【課題】ブラインド復号回数及び通知に要するシグナリング量の増加を抑えつつ、送信方法を切り替えること。【解決手段】端末２００は、EPDCCH（Enhanced Physical Downlink Control Channel）候補のいずれかに下り制御情報が配置される信号を基地局装置から受信する受信部と、１アンテナポート送信に対応するブラインド復号、あるいは、複数アンテナポート送信に対応するブラインド復号を用いて、EPDCCH候補から前記下り制御情報を取得する復号部と、を具備し、EPDCCH候補は複数のアグリゲーションレベルで構成されており、第１の境界より大きい1つ以上のアグリゲーションレベルでは複数アンテナポート送信のみが用いられ、第１の境界は基地局装置のシグナリングによって決定される。【選択図】図８
2020005313.tif 000002
【特許請求の範囲】
【請求項１】
EPDCCH（Enhanced Physical Downlink Control Channel）候補のいずれかに下り制御情報が配置される信号を基地局装置から受信する受信部と、
１アンテナポート送信に対応するブラインド復号、あるいは、複数アンテナポート送信に対応するブラインド復号を用いて、前記EPDCCH候補から前記下り制御情報を取得する復号部と、
を具備し、
前記EPDCCH候補は複数のアグリゲーションレベルで構成されており、第１の境界より大きい１つ以上のアグリゲーションレベルでは前記複数アンテナポート送信のみが用いられ、前記第１の境界は前記基地局装置のシグナリングによって決定される、
通信装置。
【請求項２】
前記復号部は、前記EPDCCH候補が局所配置である場合に前記１アンテナポート送信に対応する前記ブラインド復号を用い、前記EPDCCH候補が分散配置である場合に前記複数アンテナポート送信に対応する前記ブラインド復号を用いる、
請求項１に記載の通信装置。
【請求項３】
前記複数アンテナポート送信は送信ダイバーシティのためのプリコーディングを用いる、
請求項１又は２に記載の通信装置。
【請求項４】
前記基地局装置は、４つ以上のアンテナポートを具備し、
局所配置の場合は、前記４つ以上のアンテナポートのうちの１つのアンテナポートを用いて前記下り制御情報が送信され、分散配置の場合は前記４つ以上のアンテナポートのうちの２つのアンテナポートを用いて前記下り制御情報が送信される、
請求項１から３のいずれか一項に記載の通信装置。
【請求項５】
前記４つ以上のアンテナポートには、複数のアンテナポートのサブセットが複数存在し、前記分散配置の場合、複数のサブセットのうちの１つが用いられる、
請求項４に記載の通信装置。
【請求項６】
前記第１の境界より小さい１つ以上のアグリゲーションレベルでは少なくとも前記１アンテナポート送信が用いられる、
請求項１から５のいずれか一項に記載の通信装置。
【請求項７】
EPDCCH（Enhanced Physical Downlink Control Channel）候補のいずれかに下り制御情報が配置される信号を基地局装置から受信し、
１アンテナポート送信に対応するブラインド復号、あるいは、複数アンテナポート送信に対応するブラインド復号を用いて、前記EPDCCH候補から前記下り制御情報を取得し、
前記EPDCCH候補は複数のアグリゲーションレベルで構成されており、第１の境界より大きい１つ以上のアグリゲーションレベルでは前記複数アンテナポート送信のみが用いられ、前記第１の境界は前記基地局装置のシグナリングによって決定される、
通信方法。
【請求項８】
前記EPDCCH候補が局所配置である場合に前記１アンテナポート送信に対応する前記ブラインド復号を用い、前記EPDCCH候補が分散配置である場合に前記複数アンテナポート送信に対応する前記ブラインド復号を用いる、
請求項７に記載の通信方法。
【請求項９】
前記複数アンテナポート送信は送信ダイバーシティのためのプリコーディングを用いる、
請求項７又は８に記載の通信方法。
【請求項１０】
前記基地局装置は、４つ以上のアンテナポートを具備し、
局所配置の場合は、前記４つ以上のアンテナポートのうちの１つのアンテナポートを用いて前記下り制御情報が送信され、分散配置の場合は前記４つ以上のアンテナポートのうちの２つのアンテナポートを用いて前記下り制御情報が送信される、
請求項７から９のいずれか一項に記載の通信方法。
【請求項１１】
前記４つ以上のアンテナポートには、複数のアンテナポートのサブセットが複数存在し、前記分散配置の場合、複数のサブセットのうちの１つが用いられる、
請求項１０に記載の通信方法。
【請求項１２】
前記第１の境界より小さい１つ以上のアグリゲーションレベルでは少なくとも前記１アンテナポート送信が用いられる、
請求項７から１１のいずれか一項に記載の通信方法。
【請求項１３】
EPDCCH（Enhanced Physical Downlink Control Channel）候補のいずれかに下り制御情報が配置される信号を基地局装置から受信する処理と、
１アンテナポート送信に対応するブラインド復号、あるいは、複数アンテナポート送信に対応するブラインド復号を用いて、前記EPDCCH候補から前記下り制御情報を取得する処理と、
を制御し、
前記EPDCCH候補は複数のアグリゲーションレベルで構成されており、第１の境界より大きい１つ以上のアグリゲーションレベルでは前記複数アンテナポート送信のみが用いられ、前記第１の境界は前記基地局装置のシグナリングによって決定される、
集積回路。
【請求項１４】
前記EPDCCH候補が局所配置である場合に前記１アンテナポート送信に対応する前記ブラインド復号を用い、前記EPDCCH候補が分散配置である場合に前記複数アンテナポート送信に対応する前記ブラインド復号を用いる、
請求項１３に記載の集積回路。
【請求項１５】
前記複数アンテナポート送信は送信ダイバーシティのためのプリコーディングを用いる、
請求項１３又は１４に記載の集積回路。
【請求項１６】
前記基地局装置は、４つ以上のアンテナポートを具備し、
局所配置の場合は、前記４つ以上のアンテナポートのうちの１つのアンテナポートを用いて前記下り制御情報が送信され、分散配置の場合は前記４つ以上のアンテナポートのうちの２つのアンテナポートを用いて前記下り制御情報が送信される、
請求項１３から１５のいずれか一項に記載の集積回路。
【請求項１７】
前記４つ以上のアンテナポートには、複数のアンテナポートのサブセットが複数存在し、前記分散配置の場合、複数のサブセットのうちの１つが用いられる、
請求項１６に記載の集積回路。
【請求項１８】
前記第１の境界より小さい１つ以上のアグリゲーションレベルでは少なくとも前記１アンテナポート送信が用いられる、
請求項１３から１７のいずれか一項に記載の集積回路。
【発明の詳細な説明】
【技術分野】
【０００１】
本発明は、通信装置、通信方法及び集積回路に関する。
【背景技術】
【０００２】
近年、セルラ移動体通信システムにおいては、情報のマルチメディア化に伴い、音声データのみならず、静止画像データ及び動画像データ等の大容量データを伝送することが一般化しつつある。また、LTE-Advanced（Long Term Evolution Advanced）では、広帯域の無線帯域、Multiple-Input Multiple-Output（MIMO）伝送技術、干渉制御技術を利用して高伝送レートを実現する検討が盛んに行われている。
【０００３】
さらに、M2M（Machine to Machine）通信等、様々な機器が無線通信端末として導入されること、及び、MIMO伝送技術により端末の多重数が増加することを考慮すると、制御信号に使用されるPDCCH（Physical Downlink Control CHannel：下り回線制御チャネル）がマッピングされる領域（つまり、「PDCCH領域」）のリソース不足が懸念される。このリソース不足によって制御信号（PDCCH）がマッピングできなくなると、端末に対するデータの割当が行えない。このため、データがマッピングされるリソース領域が空いていても使用することができずに、システムスループットが低下してしまう恐れがある。
【０００４】
このリソース不足を解消する方法として、無線通信基地局装置（以下、「基地局」と省略する）配下の無線通信端末装置（以下、「端末」と省略する。UE（User Equipment））に向けた制御信号を、データ領域（つまり、「PDSCH（Physical Downlink Shared CHannel）領域」）にも配置することが検討されている。この基地局配下の端末に向けた制御信号がマッピングされるリソース領域は、Enhanced PDCCH（ePDCCH）領域、New-PDCCH（N-PDCCH）領域、又は、X-PDCCH領域などと呼ばれる。このようにデータ領域に制御信号（つまり、ePDCCH）をマッピングすることにより、セルエッジ付近に存在する端末へ送信される制御信号に対する送信電力制御、又は、送信される制御信号によって他のセルへ与える干渉制御若しくは他のセルから自セルへ与えられる干渉制御が、実現可能となる。
【０００５】
また、LTE-Advancedでは、各基地局のカバーエリアを拡大させるために、基地局と端末との間に、無線通信中継局装置（以下、「中継局」と省略する）を設置し、基地局と端末との間の通信を中継局を介して行う、中継（Relay）技術が検討されている。中継（Relay）技術を用いると、基地局と直接通信できない端末も中継局を介して通信することができる。LTE-Advancedにおいて導入されたRelay技術では、Relay用の制御信号はデータ領域に配置されている。このRelay用の制御信号を拡張して端末用の制御信号に使用される可能性があることから、Relay用の制御信号がマッピングされるリソース領域は、R-PDCCHとも呼ばれる。
【０００６】
LTE（Long Term Evolution）では、下り回線（DL：Downlink）のデータ割当を指示するDL grant(DL assignmentとも呼ばれる)、及び、上り回線（UL:UpLink）のデータ割当を指示するUL grantが、PDCCHによって送信される。
【０００７】
LTE-Advancedでは、PDCCHと同様に、R-PDCCHにも、DL grant及びUL grantが配置される。R-PDCCHでは、DL grantが1st slotに配置され、UL grantが2nd slotに配置される（非特許文献１参照）。基地局からR-PDCCHを用いて送信された制御信号を、中継局は、基地局から上位レイヤのシグナリング（higher layer signaling）によって指示されたリソース領域（つまり、「サーチスペース（Search Space）」）内でモニタ（ブラインド復号）することにより、自局宛の制御信号を見つける。
【０００８】
ここで、R-PDCCHに対応するサーチスペースは、上述の通り、上位レイヤによって、基地局から中継局に通知される。
【０００９】
LTE及びLTE-Advancedでは、１RB（Resource Block）は、周波数方向には１２個のサブキャリアを有し、時間方向には0.5msecの幅を有する。RBを時間方向で２つ組み合わせた単位は、RBペア（RB pair）と呼ばれる（例えば、図１参照）。つまり、RBペアは、周波数方向には１２個のサブキャリアを有し、時間方向には1msecの幅を有する。また、RBペアが周波数軸上の１２個のサブキャリアの塊（グループ）を表す場合、RBペアは、単にRBと呼ばれることがある。また、物理レイヤでは、RPペアは、PRBペア（Physical RB pair）とも呼ばれる。また、１個のサブキャリアと１つのOFDMシンボルとにより規定される単位が、リソース要素（RE:Resource Element）である（図１参照）。
【００１０】
また、PDCCHおよびR-PDCCHは、アグリゲーションレベル（Aggregation level）としてレベル１、２、４、８の４つのレベルを有する(例えば、非特許文献１参照)。そして、レベル１、２、４、８は、例えば６、６、２、２種類の「マッピング候補」をそれぞれ有する。ここで、マッピング候補とは、制御信号がマッピングされる領域の候補であり、複数のマッピング候補によってサーチスペースが構成される。１つの端末に対して１つのアグリゲーションレベルが設定されると、そのアグリゲーションレベルが有する複数のマッピング候補の内の１つに、制御信号が実際にマッピングされる。図２は、R-PDCCHに対応するサーチスペースの一例を示す図である。各楕円は、各アグリゲーションレベルのサーチスペースを示している。各アグリゲーションレベルの各サーチスペースにおける複数のマッピング候補は、VRB(Virtual Resource Block)においては連続的に配置される。そして、VRBにおける各リソース領域候補は、上位レイヤのシグナリングによって、PRBにマッピングされる。
【００１１】
ePDCCHに対応するサーチスペースは、端末個別に設定されることが検討されている。またePDCCHの設計については、上記したR-PDCCHの設計の一部を使うこともできるし、R-PDCCHの設計と全く異なる設計とすることもできる。実際に、ePDCCHの設計とR-PDCCHの設計とを異なるものにすることも検討されている。なお、以下の説明では、ePDCCHに対応するサーチスペースにおけるマッピング候補を、「ePDCCH候補」と呼ぶことがある。
【００１２】
上記の通り、R-PDCCH領域では、DL grantは第１スロットにマッピングされ、UL grantは第２スロットにマッピングされる。すなわち、DL grantがマッピングされるリソースと、UL grantがマッピングされるリソースとは、時間軸で分割されている。これに対して、ePDCCHでは、DL grantがマッピングされるリソースとUL grantがマッピングされるリソースとが周波数軸(つまり、サブキャリア又はPRBペア)で分割されること、または、RBペア内のREを複数のグループに分割することも検討されている。
【００１３】
ePDCCHの割当方法として、ePDCCHを周波数帯域上の互いに近い位置にまとめて割り当てる「localized割当」と、ePDCCHを周波数帯域上に分散させて割り当てる「distributed割当」が検討されている（例えば、図３参照）。localized 割当は、周波数スケジューリングゲインを得るための割当方法であり、回線品質情報に基づいて回線品質の良いリソースにePDCCHを割り当てることができる。distributed割当は、周波数軸上にePDCCHを分散させて周波数ダイバーシチゲインを得ることができる。LTE-Advancedでは、localized割当用のサーチスペース及びdistributed割当用のサーチスペースの双方を設定することが考えられる（例えば、図３参照）。
【００１４】
また、LTE-Advancedで定義されている送信方法として、１アンテナポートのプリコーディングによる送信、及び、複数アンテナポートのプリコーディングによる送信が挙げられる（例えば、非特許文献２及び３参照）。
【００１５】
なお、以下の説明では、１アンテナポートのプリコーディングによる送信を、「１アンテナポート送信（「One Tx port」と表すこともある）」と呼び、複数アンテナポートのプリコーディングによる送信を、「複数アンテナポートを用いる送信ダイバーシチ（「Multi ports Tx diversity」又は単に「Tx diversity」と表すこともある）」と呼ぶこともある。また、以下の説明では、「プリコーディング」とは、送信信号に対してアンテナポート又はアンテナ毎に重み付けを行う（ウェイトを掛ける）ことを表す。また、「レイヤ」とは空間多重されている信号の各々のことを表し、ストリームとも呼ばれる。また、「ランク」とはレイヤの数を表す。また、「送信ダイバーシチ」とは、データを複数のチャネル又は複数のリソースで送信することの総称を意味する。送信ダイバーシチを適用することにより、信号は良好なチャネル（リソース）と劣悪なチャネル（リソース）とをそれぞれ含むチャネル（リソース）で送信されるので、平均的な受信品質を得ることができる。つまり、送信ダイバーシチによれば、受信品質は非常に劣悪になることなく安定する。例えば、送信ダイバーシチで使用されるチャネル又はリソースとしては、周波数、時間、空間、アンテナポート、ビームなどが挙げられる。
【００１６】
［１アンテナポート送信］
１アンテナポート送信では、基地局は、端末で測定された回線品質を示すフィードバック情報に基づいてプリコーディングを選択する（閉ループプリコーディング又はフィードバックベースのプリコーディングとも呼ばれる）。このため、１アンテナポート送信は、端末の移動速度が比較的遅い場合など、フィードバック情報の信頼性が高い場合に有効な送信方法である。ただし、フィードバック情報が得られない場合又は端末の移動速度が比較的速く、フィードバック情報の信頼性が低い場合には、基地局は、任意のプリコーディングを選択することも可能である（開ループ処理）。
【００１７】
例えば、１アンテナポート送信は、アンテナポート１（CRS（Cell specific Reference Signal））、アンテナポート４（MBMS（Multimedia Broadcast Multicast Service）用）、アンテナポート５（UE specific RS）、アンテナポート７（DMRS（Demodulation Reference Signal））、及び、アンテナポート８（DMRS）に適用される。
【００１８】
［複数アンテナポートを用いる送信ダイバーシチ］
複数アンテナポートを用いる送信ダイバーシチでは、フィードバック情報を必要とせずにダイバーシチゲインを得ることができる。このため、複数アンテナポートを用いる送信ダイバーシチは、端末の移動速度が比較的速く、回線品質の変動が激しい場合、又は回線品質が劣悪であり、ダイバーシチゲインが必要な場合に有効な送信方法である。
【００１９】
例えば、ランク２以上で使用される複数アンテナポートを用いる送信ダイバーシチとしては、Large delay CDD（Cyclic Delay Diversity：巡回遅延ダイバーシチ）（空間多重＋送信ダイバーシチ）が挙げられる。また、ランク１で使用される複数アンテナポートを用いる送信ダイバーシチとしては、２アンテナポート用である空間周波数ブロック符号化（SFBC：Space Frequency Block Code）、4アンテナポート用であるSFBC-FSTD（Frequency Switched Transmit Diversity）などが挙げられる。
【００２０】
また、例えば、複数アンテナポートを用いる送信ダイバーシチは、アンテナポート１，２（CRS）及びアンテナポート１，２，３，４（CRS）に適用される。なお、複数アンテナポートを用いる送信ダイバーシチは、CRSではサポートされているものの、DMRSではサポートされていない。
【先行技術文献】
【非特許文献】
【００２１】
【非特許文献１】3GPP TS 36.216 V10.1.0 "Physical layer for relaying operation"
【非特許文献２】3GPP TS 36.211 V10.4.0 "Physical Channels and Modulation"
【非特許文献３】3GPP TS 36.212 V10.4.0 "Multiplexing and channel coding"
【非特許文献４】InterDigital Communications, 3GPP RAN WG1 Meeting #68, R1-120138, "Reference Signals for ePDCCH," Feb. 2012
【発明の概要】
【発明が解決しようとする課題】
【００２２】
PDCCHの復調に使用されるCRSのアンテナポート数は、セル毎に決まっており、同一セル内の端末間で共通である。また、送信方法は、CRSのアンテナポート数によって異なる。具体的には、アンテナポート数が１の場合、アンテナポート数１のプリコーディング（つまり、１アンテナポート送信）が適用され、アンテナポート数が２又は４の場合、２アンテナポート又は４アンテナポート用の送信ダイバーシチ（つまり、複数アンテナポートを用いる送信ダイバーシチ）が適用される。
【００２３】
R-PDCCHの復調の際、CRS及びDMRSのいずれを用いるかを、基地局が上位レイヤのシグナリングによって各端末へ通知することにより、R-PDCCHの復調に使用される参照信号を端末毎に変更することができる。ただし、R-PDCCHの復調に使用される参照信号を、サブフレーム単位でダイナミックに変更することはできない。したがって、R-PDCCHでは、CRSを用いた送信ダイバーシチとDMRSを用いた１アンテナポート送信とをダイナミックに切り替えることはできない。
【００２４】
また、ePDCCHにおいても、１アンテナポート送信及び複数アンテナポートを用いる送信ダイバーシチの双方をサポートすることが検討されている。また、ePDCCHでは、CRSを使用せずに、DMRSを使用して複数アンテナポートを用いた送信ダイバーシチをサポートすることが検討されている。したがって、ePDCCHにおいて、DMRSを使用して、１アンテナポートの送信と複数アンテナポートの送信ダイバーシチとを切り替える場合には、送信方法の切替を指示するための通知が必要となる。
【００２５】
しかしながら、ePDCCHの送信方法の切替を上位レイヤのシグナリングで行うと制御遅延が長くなり、送信方法の切替に時間がかかる。一方、ePDCCHでは、例えば、CoMP（Coordinated multiple point transmission and reception）動作の制御又は干渉制御などにおいて、ダイナミックに送信方法を切り替えることが要求される。
【００２６】
上記要求に対して、端末において適切なePDCCHの送信方法を選択する方法として、ePDCCH候補の検出回数（ブラインド復号回数）を増加させる方法と、送信方法を指示する制御信号を増加させる方法とが考えられる。
【００２７】
ePDCCH候補の検出回数を増加させる方法は、同一のePDCCH候補に対して、複数の送信方法を仮定してブラインド復号（Blind Decoding）する方法である。しかしながら、ブライド復号回数が増加すると、ePDCCHの受信遅延が発生し、この遅延によって後続するデータの受信処理にも影響を与えてしまう。
【００２８】
一方、送信方法を指示する制御信号を増加させる方法は、ePDCCH候補毎に送信方法を指定する方法である。例えば、送信方法として２アンテナポートを用いる送信ダイバーシチと１アンテナポート送信とを切り替える場合、送信方法の通知のために、ePDCCH候補あたり１ビットが必要になる。全てのePDCCH候補（例えばN個のePDCCH候補）の各々に送信方法を通知した場合、N倍のビット数（例えばN=32の場合、32ビット）が必要となる。
【００２９】
また、送信方法の他にもブラインド復号のために必要な様々なパラメータの通知を追加することでePDCCH候補の各々に対して最適なパラメータを設定できる。例えば、上記パラメータとしては、図４に示すように、上述した送信方法（図４では「Tx diversity」であるか否か）に加え、送信モードを決定する「DCI format」、各ePDCCH候補を構成するRE数を決定する「アグリゲーションレベル」、「アンテナポート番号」、ePDCCHの配置方法（Localized又はDistributed）などが挙げられる。しかしながら、図４に示すように、これらのパラメータの通知には、１つのePDCCH候補について所定のビット数が必要となり、これらのパラメータをePDCCH候補毎に通知する場合には、１つのePDCCH候補に必要なビット数のN（ePDCCH候補位置数。図４では一例としてN=32）倍のビット数が必要となる。
【００３０】
本発明の目的は、ブラインド復号回数及び通知に要するシグナリング量の増加を抑えつつ、送信方法を切り替えることができる通信装置、通信方法及び集積回路を提供することである。
【課題を解決するための手段】
【００３１】
本発明の一態様の通信装置は、EPDCCH（Enhanced Physical Downlink Control Channel）候補のいずれかに下り制御情報が配置される信号を基地局装置から受信する受信部と、１アンテナポート送信に対応するブラインド復号、あるいは、複数アンテナポート送信に対応するブラインド復号を用いて、前記EPDCCH候補から前記下り制御情報を取得する復号部と、を具備し、前記EPDCCH候補は複数のアグリゲーションレベルで構成されており、第１の境界より大きい１つ以上のアグリゲーションレベルでは前記複数アンテナポート送信のみが用いられ、前記第１の境界は前記基地局装置のシグナリングによって決定される。
【００３２】
本発明の一態様の通信装置において、前記復号部は、前記EPDCCH候補が局所配置である場合に前記１アンテナポート送信に対応する前記ブラインド復号を用い、前記EPDCCH候補が分散配置である場合に前記複数アンテナポート送信に対応する前記ブラインド復号を用いる。
【００３３】
本発明の一態様の通信方法は、EPDCCH（Enhanced Physical Downlink Control Channel）候補のいずれかに下り制御情報が配置される信号を基地局装置から受信し、１アンテナポート送信に対応するブラインド復号、あるいは、複数アンテナポート送信に対応するブラインド復号を用いて、前記EPDCCH候補から前記下り制御情報を取得し、前記EPDCCH候補は複数のアグリゲーションレベルで構成されており、第１の境界より大きい１つ以上のアグリゲーションレベルでは前記複数アンテナポート送信のみが用いられ、前記第１の境界は前記基地局装置のシグナリングによって決定される。
【００３４】
本発明の一態様の集積回路は、EPDCCH（Enhanced Physical Downlink Control Channel）候補のいずれかに下り制御情報が配置される信号を基地局装置から受信する処理と、１アンテナポート送信に対応するブラインド復号、あるいは、複数アンテナポート送信に対応するブラインド復号を用いて、前記EPDCCH候補から前記下り制御情報を取得する処理と、を制御し、前記EPDCCH候補は複数のアグリゲーションレベルで構成されており、第１の境界より大きい１つ以上のアグリゲーションレベルでは前記複数アンテナポート送信のみが用いられ、前記第１の境界は前記基地局装置のシグナリングによって決定される。
【発明の効果】
【００３５】
本発明によれば、ブラインド復号回数及び通知に要するシグナリング量の増加を抑えつつ、送信方法を切り替えることができる。
【図面の簡単な説明】
【００３６】
【図１】PRBペアの説明に供する図
【図２】R-PDCCHに対応するサーチスペースの一例を示す図
【図３】ePDCCHの割当方法の一例を示す図
【図４】各送信パラメータの通知に要するビット数を示す図
【図５】本発明の実施の形態１に係る基地局の要部構成を示すブロック図
【図６】本発明の実施の形態１に係る端末の要部構成を示すブロック図
【図７】本発明の実施の形態１に係る基地局の構成を示すブロック図
【図８】本発明の実施の形態１に係る端末の構成を示すブロック図
【図９】本発明の実施の形態１に係る送信方法の切替例を示す図（動作例１−１）
【図１０】本発明の実施の形態１に係る送信方法の切替例を示す図（動作例１−２）
【図１１】本発明の実施の形態１に係る送信方法の切替例を示す図（動作例１−３）
【図１２】本発明の実施の形態１に係る送信方法の切替例を示す図（動作例１−３）
【図１３】本発明の実施の形態１に係るアンテナポートの対応付けの一例を示す図
【図１４】本発明の実施の形態１に係るその他の送信方法の切替例を示す図
【図１５】本発明の実施の形態２に係る送信方法の切替例を示す図
【図１６】本発明の実施の形態３に係る送信方法の切替例を示す図
【図１７】従来の送信方法の切替の説明に供する図
【図１８】本発明の実施の形態４に係る送信方法の切替例を示す図（動作例４−１）
【図１９】本発明の実施の形態４に係る送信方法の切替例を示す図（動作例４−２）
【図２０】本発明の実施の形態５に係る送信方法の切替例を示す図
【図２１】本発明の実施の形態６に係るアンテナポートの対応付けの一例を示す図
【図２２】本発明の実施の形態６に係る送信方法の切替例を示す図
【発明を実施するための形態】
【００３７】
以下、本発明の実施の形態について図面を参照して詳細に説明する。なお、実施の形態において、同一の構成要素には同一の符号を付し、その説明は重複するので省略する。
【００３８】
［実施の形態１］
［通信システムの概要］
本実施の形態に係る通信システムは、送信装置と受信装置とを有する。特に、本実施の形態では、送信装置を基地局１００とし、受信装置を端末２００として説明する。この通信システムは、例えば、LTE-Advancedシステムである。そして、基地局１００は、例えば、LTE-Advancedシステムに対応する基地局であり、端末２００は、例えば、LTE-Advancedシステムに対応する端末である。
【００３９】
図５は、本実施の形態に係る基地局１００の要部構成を示すブロック図である。
【００４０】
基地局１００において、プリコーディング部１０５は、複数のePDCCH候補（マッピング候補）毎に設定されるアグリゲーションレベルに応じて、端末２００からフィードバックされる情報に基づくプリコーディングを行う１つのアンテナポートを用いた第１の送信方法（１アンテナポート送信）、及び、複数のアンテナポートを用いた送信ダイバーシチを行う第２の送信方法（複数アンテナポートを用いる送信ダイバーシチ）のいずれか一方を用いて、複数のePDCCH候補のうちの１つにマッピングされる信号に対してプリコーディングを行う。送信部１０７は、プリコーディング後の信号を送信する。
【００４１】
図６は、本実施の形態に係る端末２００の要部構成を示すブロック図である。
【００４２】
端末２００において、受信部２０１は、複数のePDCCH候補（マッピング候補）のいずれかにマッピングされた信号を受信する。制御信号処理部２０５は、複数のePDCCH候補毎に設定されるアグリゲーションレベルに応じて、端末２００からフィードバックされる情報に基づくプリコーディングを行う１つのアンテナポートを用いた第１の送信方法（１アンテナポート送信）、及び、複数のアンテナポートを用いた送信ダイバーシチを行う第２の送信方法（複数アンテナポートを用いる送信ダイバーシチ）のいずれか一方を用いて、複数のePDCCH候補に対してブラインド復号を行う。
【００４３】
［基地局１００の構成］
図７は、本実施の形態に係る基地局１００の構成を示すブロック図である。図７において、基地局１００は、割当情報生成部１０１と、設定部１０２と、誤り訂正符号化部１０３と、変調部１０４と、プリコーディング部１０５と、信号割当部１０６と、送信部１０７と、受信部１０８と、復調部１０９と、誤り訂正復号部１１０とを有する。
【００４４】
割当情報生成部１０１は、送信すべき下り回線データ信号（DLデータ信号）、及び、上り回線（UL）に割り当てる上り回線データ信号（ULデータ信号）が有る場合、データ信号を割り当てるリソース（RB）を決定し、割当情報(DL assignmentおよびUL grant)を生成する。DL assignmentは、DLデータ信号の割当に関する情報を含む。UL grantは、端末２００から送信されるULデータ信号の割当リソースに関する情報を含む。また、割当情報生成部１０１は、生成した割当情報(DL assignmentおよびUL grant)を割り当てるPDCCH候補番号（PDCCHにおけるマッピング候補に付与された番号）又はePDCCH候補番号を決定する。割当情報、及び、PDCCH候補番号又はePDCCH候補番号は信号割当部１０６へ出力される。また、DLデータ信号を割り当てるための制御情報としてDL assignmentは信号割当部１０６へ出力され、ULデータ信号を受信するための制御情報としてUL grantは受信部１０８へ出力される。
【００４５】
設定部１０２は、ePDCCH又はPDCCHで送信される制御信号の送信方法を設定する。例えば、設定部１０２は、ePDCCHについて、複数のePDCCH候補毎に設定されるアグリゲーションレベルに応じて、１アンテナポート送信及び複数アンテナポートを用いる送信ダイバーシチの何れか一方を設定する。設定された「送信方法に関する情報」はプリコーディング部１０５へ出力されるとともに、制御信号として誤り訂正符号化部１０３に出力される。
【００４６】
誤り訂正符号化部１０３は、送信データ信号（DLデータ信号）、及び、設定部１０２から受け取る制御情報を入力とし、入力された信号を誤り訂正符号化し、変調部１０４へ出力する。
【００４７】
変調部１０４は、誤り訂正符号化部１０３から受け取る信号に対して変調処理を施し、変調後のデータ信号をプリコーディング部１０５へ出力する。
【００４８】
プリコーディング部１０５は、ePDCCH又はPDCCHで送信される制御信号に対してプリコーディング処理を行う。具体的には、プリコーディング部１０５は、制御信号に関しては、設定部１０２から指示された送信方法（１アンテナポート送信又は複数アンテナポートを用いた送信ダイバーシチ）と、割当情報生成部１０１から指示されたePDCCH候補番号又はPDCCH候補番号とに基づいて、使用するプリコーディングを決定する。そして、プリコーディング部１０５は、決定したプリコーディングをアンテナポート毎に掛けて、プリコーディング後の制御信号を信号割当部１０６に出力する。また、プリコーディング部１０５は、データ信号に関しても、それぞれ規定されているプリコーディングを掛けて、プリコーディング後のデータ信号を信号割当部１０６へ出力する。
【００４９】
信号割当部１０６は、割当情報生成部１０１から受け取る割当情報（DL assignment及びUL grant）を、ePDCCH又はPDCCHに割り当てる。また、信号割当部１０６は、プリコーディング部１０５から受け取るデータ信号を、割当情報生成部１０１から受け取る割当情報（DL assignment）に対応する下り回線リソースに割り当てる。
【００５０】
こうして割当情報及びデータ信号が所定のリソースに割り当てられることにより、送信信号が形成される。形成された送信信号は、送信部１０７へ出力される。
【００５１】
送信部１０７は、入力信号に対してアップコンバート等の無線送信処理を施し、アンテナを介して端末２００へ送信する。
【００５２】
受信部１０８は、端末２００から送信された信号をアンテナを介して受信し、復調部１０９へ出力する。具体的には、受信部１０８は、割当情報生成部１０１から受け取ったUL grantが示すリソースに対応する信号を受信信号から分離し、分離された信号に対してダウンコンバート等の受信処理を施した後に復調部１０９へ出力する。
【００５３】
復調部１０９は、入力信号に対して復調処理を施し、得られた信号を誤り訂正復号部１１０へ出力する。
【００５４】
誤り訂正復号部１１０は、入力信号を復号し、端末２００からの受信データ信号を得る。
【００５５】
［端末２００の構成］
図８は、本実施の形態に係る端末２００の構成を示すブロック図である。図８において、端末２００は、受信部２０１と、信号分離部２０２と、復調部２０３と、誤り訂正復号部２０４と、制御信号処理部２０５と、誤り訂正符号化部２０６と、変調部２０７と、信号割当部２０８と、送信部２０９とを有する。
【００５６】
受信部２０１は、基地局１００から送信された信号をアンテナを介して受信し、ダウンコンバート等の受信処理を施した後に信号分離部２０２へ出力する。受信信号には、例えば、ePDCCH内のサーチスペースを構成する複数のePDCCH候補のいずれかにマッピングされた制御信号が含まれる。
【００５７】
信号分離部２０２は、受信部２０１から受け取る受信信号のうち、リソース割当に関する制御信号を抽出し、抽出された信号を制御信号処理部２０５へ出力する。また、信号分離部２０２は、制御信号処理部２０５から出力されたDL assignmentが示すデータリソースに対応する信号（つまり、DLデータ信号及び制御信号）を受信信号から抽出し、抽出された信号を復調部２０３へ出力する。
【００５８】
復調部２０３は、信号分離部２０２から出力された信号を復調し、当該復調された信号を誤り訂正復号部２０４へ出力する。
【００５９】
誤り訂正復号部２０４は、復調部２０３から出力された復調信号を復号し、得られた受信データ信号を出力する。誤り訂正復号部２０４は、特に、基地局１００から制御信号として送信された「送信方法に関する情報」を制御信号処理部２０５へ出力する。
【００６０】
制御信号処理部２０５は、信号分離部２０２から受け取る信号成分において、誤り訂正復号部２０４から受け取る情報に示される「送信方法に関する情報」に基づいて、PDCCH候補又はePDCCH候補毎に設定された送信方法（プリコーディング）を特定する。そして、制御信号処理部２０５は、特定した送信方法を用いて各PDCCH候補又は各ePDCCH候補に対してブラインド復号を行うことにより、自機宛の制御信号（DL assignment又はUL grant）を検出する。例えば、制御信号処理部２０５は、ePDCCH内のサーチスペースを構成する複数のePDCCH候補毎に設定されるアグリゲーションレベルに応じて、１アンテナポート送信及び複数アンテナポートを用いる送信ダイバーシチのいずれか一方を用いて、複数のePDCCH候補に対してブラインド復号を行うことにより、自機宛の制御信号を得る。制御信号処理部２０５は、検出した自機宛のDL assignmentを信号分離部２０２へ出力し、検出した自機宛のUL grantを信号割当部２０８へ出力する。
【００６１】
誤り訂正符号化部２０６は、送信データ信号（ULデータ信号）を入力とし、その送信データ信号を誤り訂正符号化し、変調部２０７へ出力する。
【００６２】
変調部２０７は、誤り訂正符号化部２０６から出力された信号を変調し、変調信号を信号割当部２０８へ出力する。
【００６３】
信号割当部２０８は、変調部２０７から出力された信号を、制御信号処理部２０５から受け取るUL grantに従って割り当て、送信部２０９へ出力する。
【００６４】
送信部２０９は、入力信号に対してアップコンバート等の送信処理を施し、送信する。
【００６５】
［基地局１００及び端末２００の動作］
以上の構成を有する基地局１００及び端末２００の動作について説明する。
【００６６】
本実施の形態では、１アンテナポート送信（One Tx port）と複数アンテナポートを用いる送信ダイバーシチ（Tx diversity）とを切り替える基準として、アグリゲーションレベルを用いる。
【００６７】
具体的には、本実施の形態では、基地局１００は、低いアグリゲーションレベルに対応するePDCCH候補では１アンテナポート送信を用いてプリコーディングを行い、高いアグリゲーションレベルに対応するePDCCH候補では複数アンテナポートを用いる送信ダイバーシチを用いてプリコーディングを行う。一方、端末２００は、低いアグリゲーションレベルに対応するePDCCH候補に対して１アンテナポート送信を想定して信号を受信（ブラインド復号）し、高いアグリゲーションレベルに対応するePDCCH候補に対して複数アンテナポートを用いる送信ダイバーシチを想定して信号を受信（ブラインド復号）する。
【００６８】
これにより、ePDCCH内のサーチスペースを構成する複数のePDCCH候補において、設定されたアグリゲーションレベルがより低いほど、１アンテナポート送信を用いてブラインド復号されるマッピング候補がより多くなり、設定されたアグリゲーションレベルがより高いほど、複数アンテナポートを用いる送信ダイバーシチを用いてブラインド復号されるマッピング候補がより多くなる。
【００６９】
一方で、この場合、低いアグリゲーションレベルと複数アンテナポートを用いた送信ダイバーシチとの組み合わせ、及び、高いアグリゲーションレベルと１アンテナポート送信との組み合わせが使用されにくくなるという制限が生じてしまう。
【００７０】
しかし、低いアグリゲーションレベル（例えばlevel 1,2）が使用されるのは、回線品質が良好である場合、端末２００の移動速度が比較的遅い場合など、端末２００から基地局１００へのフィードバック情報の信頼性が比較的高い場合が想定される。このため、低いアグリゲーションレベルに対しては、フィードバック情報に基づいてプリコーディングを選択する１アンテナポート送信が有効である。
【００７１】
また、高いアグリゲーションレベル（例えばlevel 4,8）が使用されるのは、回線品質が劣悪である場合、端末２００の移動速度が比較的速い場合など、端末２００から基地局１００へのフィードバック情報の信頼性が比較的低い場合が想定される。このため、高いアグリゲーションレベルに対しては、ダイバーシチゲインを得るために、複数アンテナポートを用いる送信ダイバーシチが有効である。
【００７２】
以上より、送信方法とアグリゲーションレベルとの組み合わせに関して、上述した制限が生じたとしても、ePDCCHの受信特性に与える影響は小さい。
【００７３】
以下、本実施の形態における基地局１００及び端末２００の動作例１−１〜動作例１−３について説明する。
【００７４】
以下の説明では、一例として、アグリゲーションレベル１，２，４，８のそれぞれに対してePDCCH候補の数（つまり、ブラインド復号対象の数）を１２，１２，４，４とする。
【００７５】
また、１アンテナポート送信時には、基地局１００から端末２００に対して上位レイヤの制御信号で予め通知されているアンテナポートが使用される。また、複数アンテナポートを用いた送信ダイバーシチ時には、送信ダイバーシチ方法（例えば２アンテナポートの送信ダイバーシチ）及び使用されるアンテナポートが予め設定されている。
【００７６】
＜動作例１−１＞
動作例１−１では、基地局１００及び端末２００は、低いアグリゲーションレベルでは、ePDCCH候補に対する送信方法として１アンテナポート送信を適用し、高いアグリゲーションレベルでは、ePDCCH候補に対する送信方法として２アンテナポートを用いた送信ダイバーシチを適用する。
【００７７】
例えば、基地局１００において、設定部１０２は、アグリゲーションレベル１，２では、ePDCCH候補に対する送信方法として１アンテナポート送信を設定する。一方、設定部１０２は、アグリゲーションレベル４，８では、ePDCCH候補に対する送信方法として２アンテナポートを用いた送信ダイバーシチを設定する。
【００７８】
よって、プリコーディング部１０５は、図９に示すように、アグリゲーションレベル１，２に対応するePDCCH候補（ePDCCH候補番号：＃０〜＃２３）に対して、１アンテナポート送信を用いてプリコーディング処理を行う。一方、プリコーディング部１０５は、アグリゲーションレベル４，８に対応するePDCCH候補（ePDCCH候補番号：＃２４〜＃３１）に対して、２アンテナポートを用いた送信ダイバーシチを用いてプリコーディング処理を行う。
【００７９】
一方、端末２００において、制御信号処理部２０５は、図９に示すように、アグリゲーションレベル１，２に対応するePDCCH候補（ePDCCH候補番号：＃０〜＃２３）に対して、１アンテナポート送信を用いてブラインド復号を行う。一方、制御信号処理部２０５は、アグリゲーションレベル４，８に対応するePDCCH候補（ePDCCH候補番号：＃２４〜＃３１）に対して、２アンテナポートを用いた送信ダイバーシチを用いてブラインド復号を行う。
【００８０】
このように、端末２００は、アグリゲーションレベルに応じて送信方法を特定できるので、送信方法の切替のためのシグナリングが不要となる。例えば、図４に示すようなePDCCH候補毎に送信方法を通知する場合と比較すると、送信方法の切替の通知（Tx diversity or not）に必要なビット数を、Ｎビット（図４では３２ビット）から０ビットに削減することができる。
【００８１】
また、動作例１−１では、特定のアグリゲーションレベル（図９では、アグリゲーションレベル２と４との間）を境界として、各アグリゲーションレベルに対応するePDCCH候補毎に送信方法を切り替えることができる。これにより、R-PDCCHのように上位レイヤのシグナリングによって何れか一方の送信方法のみしか設定されない場合と比較して、ePDCCHにおいてダイナミックな送信方法の切替が可能となる。
【００８２】
なお、図９では、アグリゲーションレベル１，２（所定値４未満）とアグリゲーションレベル４，８（所定値４以上）とで送信方法を切り替える場合について説明したが、これに限定されない。例えば、いずれのアグリゲーションレベルの境界を送信方法の切替基準とするかを示すシグナリングを基地局１００から端末２００へ送信してもよい。例えば、「００」の場合、アグリゲーションレベル１，２では１送信アンテナポートとし、アグリゲーションレベル４，８では複数アンテナポートを用いた送信ダイバーシチとし、「０１」の場合、アグリゲーションレベル１，２，４では１送信アンテナポートとし、アグリゲーションレベル８では複数アンテナポートを用いた送信ダイバーシチとし、「１０」の場合、アグリゲーションレベル１，２，４，８（つまり、全てのレベル）で１送信アンテナポートとし、「１１」の場合、アグリゲーションレベル１，２、４，８（つまり、全てのレベル）で複数アンテナポートを用いた送信ダイバーシチとしてもよい。この場合でも、送信方法の切替のためのシグナリング量は２ビットのみで済む。つまり、この場合でも、図４に示す送信方法の通知方法と比較して、送信方法の切替の通知に必要なビット数を削減することができる。
【００８３】
または、上記４パターンの他に、アグリゲーションレベル１では１送信アンテナポートとし、アグリゲーションレベル２，４，８では複数アンテナポートを用いた送信ダイバーシチとするパターンを加えた、５パターンの中からいずれか１つのパターンが基地局１００から端末２００へ通知（つまり、３ビットで通知）されてもよく、上記５パターンの中のいずれか１つを除いた４パターンの中からいずれか１つのパターンが基地局１００から端末２００へ通知（つまり、２ビットで通知）されてもよい。
【００８４】
これにより、全てのePDCCH候補について１アンテナポート送信とする運用、及び、全てのePDCCH候補について複数アンテナポートを用いた送信ダイバーシチとする運用も可能である。よって、何れか一方の送信方法（受信方法）のみをサポートしている端末２００又は基地局１００が存在する場合でも、ePDCCH候補の全てを有効に使用することができる。
【００８５】
＜動作例１−２＞
動作例１−２では、例えば、低いアグリゲーションレベルに対応するePDCCH候補から高いアグリゲーションレベルに対応するePDCCH候補の順に、ePDCCH候補番号が昇順に付与される。
【００８６】
例えば、図１０に示すように、３２個のePDCCH候補では、より低いアグリゲーションレベルに対応するePDCCH候補から順に、ePDCCH候補番号＃０〜＃３１が昇順に付与される。具体的には、図１０に示すように、ePDCCH候補番号＃０〜＃１１のePDCCH候補がアグリゲーションレベル１に対応し、ePDCCH候補番号＃１２〜＃２３のePDCCH候補がアグリゲーションレベル２に対応し、ePDCCH候補番号＃２４〜＃２７のePDCCH候補がアグリゲーションレベル４に対応し、ePDCCH候補番号＃２８〜＃３１のePDCCH候補がアグリゲーションレベル８に対応する。
【００８７】
基地局１００において、設定部１０２は、送信方法を切り替える特定のePDCCH候補番号（ePDCCHの送信方法の切替基準）を端末２００毎に設定する。例えば、図１０では、設定部１０２は、アグリゲーションレベル２に対応するePDCCH候補番号＃２０を、ePDCCHの送信方法の切替基準として設定する。設定されたePDCCH候補番号＃２０（ePDCCHの送信方法の切替に関する情報）は、プリコーディング部１０５に出力される。また、設定されたePDCCH候補番号＃２０は、制御信号として端末２００へ通知される。この通知には、例えば、上位レイヤのシグナリングが用いられる。
【００８８】
プリコーディング部１０５は、図１０に示すように、ePDCCH候補番号＃２０未満の番号が付与されたePDCCH候補（＃０〜＃１９）に対して、１アンテナポート送信を用いてプリコーディング処理を行う。一方、プリコーディング部１０５は、図１０に示すように、ePDCCH候補番号＃２０以上の番号が付与されたePDCCH候補（＃２０〜＃３１）に対して、複数アンテナポートを用いた送信ダイバーシチを用いてプリコーディング処理を行う。
【００８９】
一方、端末２００において、受信部２０１は、基地局１００から、ePDCCHの送信方法の切替に関する情報としてePDCCH候補番号＃２０を受信する。そこで、制御信号処理部２０５は、図１０に示すように、ePDCCH候補番号＃２０未満の番号が付与されたePDCCH候補（＃０〜＃１９）に対して、１アンテナポート送信を用いてブラインド復号を行う。一方、制御信号処理部２０５は、図１０に示すように、ePDCCH候補番号＃２０以上の番号が付与されたePDCCH候補（＃２０〜＃３１）に対して、複数アンテナポートを用いた送信ダイバーシチを用いてブラインド復号を行う。
【００９０】
ここで、ePDCCH候補の総数をＮ個とすると、上記送信方法の切替基準となるePDCCH候補の通知に必要なビット数は、ceil（log2(N+1)）ビットとなる。関数ceil（ｘ）は、ｘ以上の最小の整数を返す関数である。例えば、図１０では、Ｎ＝３２であるので、ceil（log2(N+1)）＝６ビットになる。
【００９１】
なお、基地局１００から端末２００に対して、＃Ｎ（図１０では＃３２）が通知された場合には、全てのePDCCH候補に対する送信方法を１アンテナポート送信とし、＃０が通知された場合には、全てのePDCCH候補に対する送信方法を複数アンテナポートを用いた送信ダイバーシチとしてもよい。
【００９２】
また、上記送信方法の切替基準となるePDCCH候補の通知の範囲を＃０〜＃Ｎ−１とし、基地局１００から端末２００に対して、＃Ｎ−１（図１０では＃３１）が通知された場合に、全てのePDCCH候補に対する送信方法を１アンテナポート送信としてもよい。この場合、上記送信方法の切替基準となるePDCCH候補の通知に必要なビット数は、ceil（log2(N)）ビットとなる。例えば、図１０では、Ｎ＝３２であるので、ceil（log2(N)）＝５ビットになり、ceil（log2(N+1)）の場合と比較して１ビット削減される。
【００９３】
このように、端末２００は、送信方法の切替基準となるePDCCH候補番号を基地局１００から通知されることによって送信方法を特定できる。これにより、例えば、図４に示すようなePDCCH候補毎に送信方法を通知する場合と比較すると、送信方法の切替の通知（Tx diversity or not）に必要なビット数を、Ｎビット（図４では３２ビット）から、ceil（log2(N+1)）ビット又はceil（log2(N)）ビット（６ビット又は５ビット）に削減することができる。
【００９４】
また、動作例１−２では、全てのePDCCH候補について１アンテナポート送信とする運用、及び、全てのePDCCH候補について複数アンテナポートを用いた送信ダイバーシチとする運用も可能である。よって、何れか一方の送信方法（受信方法）のみをサポートしている端末２００又は基地局１００が存在する場合でも、ePDCCH候補の全てを有効に使用することができる。
【００９５】
また、動作例１−２では、送信方法の切替基準となるePDCCH候補番号を境界として、各アグリゲーションレベルに対応するePDCCH候補毎に送信方法を切り替えることができる。これにより、R-PDCCHのように上位レイヤのシグナリングによって何れか一方の送信方法のみしか設定されない場合と比較して、ePDCCHにおいてダイナミックな送信方法の切替が可能となる。
【００９６】
また、動作例１−２では、例えば、図１０に示すアグリゲーションレベル２に対応するePDCCH候補（＃１２〜＃２３）のうち、一部のePDCCH候補（＃１２〜＃１９）に対しては１アンテナポート送信が設定され、残りのePDCCH候補（＃２０〜＃２３）に対しては複数アンテナポートを用いた送信ダイバーシチが設定される。つまり、動作例１−１では、アグリゲーションレベル単位での送信方法の切替が可能であるのに対して、動作例１−２では、さらに、特定のアグリゲーションレベルでは、ePDCCH候補単位での送信方法の切替が可能となる。よって、動作例１−２では、動作例１−１と比較して、端末２００に対する制御信号の割当をより柔軟に行うことが可能となる。
【００９７】
＜動作例１−３＞
動作例１−３では、例えば、Ｌ未満のアグリゲーションレベルに対応するePDCCH候補からＬ以上のアグリゲーションレベルに対応するePDCCH候補の順に、ePDCCH候補番号が昇順に付与される。Ｌは任意の自然数である。Ｌ未満のアグリゲーションレベルおよびＬ以上のアグリゲーションレベルにはそれぞれ複数のアグリゲーションレベルが含まれても良い。
【００９８】
例えば、図１１に示すように、３２個のePDCCH候補では、Ｌ未満のアグリゲーションレベルに対応するePDCCH候補から順に、ePDCCH候補番号＃０〜＃３１が昇順に付与される。具体的には、図１１に示すように、ePDCCH候補番号＃０〜＃２３のePDCCH候補がＬ未満のアグリゲーションレベル（Level＜L）に対応し、ePDCCH候補番号＃２４〜＃３１のePDCCH候補がＬ以上のアグリゲーションレベル（Level≧L）に対応する。
【００９９】
基地局１００において、設定部１０２は、送信方法を切り替える特定のePDCCH候補番号（ePDCCHの送信方法の切替基準）を端末２００毎に設定する。
【０１００】
例えば、図１１に示すように、設定部１０２が、Ｌ未満のアグリゲーションレベルに対応するePDCCH候補番号＃２０を、ePDCCHの送信方法の切替基準として設定する場合について説明する。設定されたePDCCH候補番号＃２０（ePDCCHの送信方法の切替に関する情報）は、プリコーディング部１０５に出力される。また、設定されたePDCCH候補番号＃２０は、制御信号として端末２００へ通知される。この通知には、例えば、上位レイヤのシグナリングが用いられる。
【０１０１】
プリコーディング部１０５は、図１１に示すように、ePDCCH候補番号＃２０未満の番号が付与されたePDCCH候補（＃０〜＃１９）に対して、１アンテナポート送信を用いてプリコーディング処理を行う。一方、プリコーディング部１０５は、図１１に示すように、ePDCCH候補番号＃２０以上の番号が付与されたePDCCH候補（＃２０〜＃３１）に対して、複数アンテナポートを用いた送信ダイバーシチを用いてプリコーディング処理を行う。
【０１０２】
一方、端末２００において、受信部２０１は、基地局１００から、ePDCCHの送信方法の切替に関する情報としてePDCCH候補番号＃２０を受信する。そこで、制御信号処理部２０５は、図１１に示すように、ePDCCH候補番号＃２０未満の番号が付与されたePDCCH候補（＃０〜＃１９）に対して、１アンテナポート送信を用いてブラインド復号を行う。一方、制御信号処理部２０５は、図１１に示すように、ePDCCH候補番号＃２０以上の番号が付与されたePDCCH候補（＃２０〜＃３１）に対して、複数アンテナポートを用いた送信ダイバーシチを用いてブラインド復号を行う。
【０１０３】
次いで、図１２に示すように、設定部１０２が、Ｌ以上のアグリゲーションレベルに対応するePDCCH候補番号＃２８を、ePDCCHの送信方法の切替基準として設定する場合について説明する。設定されたePDCCH候補番号＃２８（ePDCCHの送信方法の切替に関する情報）は、プリコーディング部１０５に出力され、かつ、制御信号として端末２００へ通知される。
【０１０４】
プリコーディング部１０５は、図１２に示すように、ePDCCH候補番号＃２８未満の番号が付与されたePDCCH候補（＃０〜＃２７）に対して、１アンテナポート送信を用いてプリコーディング処理を行う。一方、プリコーディング部１０５は、図１２に示すように、ePDCCH候補番号＃２８以上の番号が付与されたePDCCH候補（＃２８〜＃３１）に対して、複数アンテナポートを用いた送信ダイバーシチを用いてプリコーディング処理を行う。
【０１０５】
一方、端末２００において、受信部２０１は、基地局１００から、ePDCCHの送信方法の切替に関する情報としてePDCCH候補番号＃２８を受信する。そこで、制御信号処理部２０５は、図１２に示すように、ePDCCH候補番号＃２８未満の番号が付与されたePDCCH候補（＃０〜＃２７）に対して、１アンテナポート送信を用いてブラインド復号を行う。一方、制御信号処理部２０５は、図１２に示すように、ePDCCH候補番号＃２８以上の番号が付与されたePDCCH候補（＃２８〜＃３１）に対して、複数アンテナポートを用いた送信ダイバーシチを用いてブラインド復号を行う。
【０１０６】
ここで、ePDCCH候補の総数をＮ個とすると、上記送信方法の切替基準となるePDCCH候補の通知に必要なビット数は、動作例１−２と同様、ceil（log2(N+1)）ビット、又は、ceil（log2(N)）ビットとすることができる。
【０１０７】
また、動作例１−３では、送信方法の切替基準となるePDCCH候補番号を境界として、ePDCCH候補毎に送信方法を柔軟に切り替えることができる。これにより、R-PDCCHのように上位レイヤのシグナリングによって何れか一方の送信方法のみしか設定されない場合と比較して、ePDCCHにおいてダイナミックな送信方法の切替が可能となる。
【０１０８】
また、動作例１−３では、例えば、図１１に示すＬ未満のアグリゲーションレベルに対応するePDCCH候補（＃０〜＃２３）のうち、一部のePDCCH候補（＃０〜＃１９）に対しては１アンテナポート送信が設定され、残りのePDCCH候補（＃２０〜＃２３）に対しては複数アンテナポートを用いた送信ダイバーシチが設定される。つまり、Ｌ未満のアグリゲーションレベルに複数のアグリゲーションレベルが含まれる場合、複数のアグリゲーションレベルにおいて、１アンテナポート送信と複数アンテナポートを用いた送信ダイバーシチの両方を設定することもできる。
【０１０９】
また、動作例１−３では、例えば、図１２に示すＬ以上のアグリゲーションレベルに対応するePDCCH候補（＃２４〜＃３１）のうち、一部のePDCCH候補（＃２４〜＃２７）に対しては１アンテナポート送信が設定され、残りのePDCCH候補（＃２８〜＃３１）に対しては複数アンテナポートを用いた送信ダイバーシチが設定される。つまり、Ｌ以上のアグリゲーションレベルに複数のアグリゲーションレベルが含まれる場合、複数のアグリゲーションレベルにおいて、１アンテナポート送信と複数アンテナポートを用いた送信ダイバーシチの両方を設定することもできる。
【０１１０】
なお、ここでは、ePDCCH候補を、Ｌ未満のアグリゲーションレベルに対応するePDCCH候補とＬ以上のアグリゲーションレベルに対応するePDCCH候補とに分割する場合について説明したが、Ｌ以下のアグリゲーションレベルに対応するePDCCH候補とＬより大きいアグリゲーションレベルに対応するePDCCH候補とに分割してもよい。
【０１１１】
以上、本実施の形態における基地局１００及び端末２００の動作例１−１〜動作例１−３について説明した。
【０１１２】
このように、本実施の形態では、基地局１００及び端末２００は、低いアグリゲーションレベルに対応するePDCCH候補に対して１アンテナポート送信を使用し、高いアグリゲーションレベルに対応するePDCCH候補に対して複数アンテナポートを用いる送信ダイバーシチを使用する。これにより、端末２００は、各ePDCCH候補に設定されたアグリゲーションレベルに応じて送信方法を特定することができる。つまり、ePDCCH候補毎に送信方法を通知する場合と比較して、送信方法の通知に要するシグナリング量を削減することができる。
【０１１３】
また、ePDCCH内のサーチスペースを構成する複数のePDCCH候補において、設定されたアグリゲーションレベルがより低いほど、１アンテナポート送信を用いてプリコーディング（ブラインド復号）されるePDCCH候補がより多くなる。一方、設定されたアグリゲーションレベルがより高いほど、複数アンテナポートを用いる送信ダイバーシチを用いてプリコーディング（ブラインド復号）されるePDCCH候補がより多くなる。すなわち、基地局１００及び端末２００は、各ePDCCH候補に設定されたアグリゲーションレベルに応じて、当該アグリゲーションレベルに適した送信方法に切り替えることができる。
【０１１４】
よって、本実施の形態によれば、端末２００でのブラインド復号回数の増加及び送信方法の通知に要するシグナリング量の増加を抑えつつ、送信方法をダイナミックに切り替えることができる。
【０１１５】
なお、本実施の形態では、端末２００毎に通知される１アンテナポート送信用のアンテナポートから、複数アンテナポートを用いた送信ダイバーシチ用のアンテナポートが一意に特定できるように、双方の送信方法で使用されるアンテナポートを予め対応付けてもよい。例えば、図１３は、１アンテナポート送信用のアンテナポートと２つのアンテナポートを用いた送信ダイバーシチ用のアンテナポートとの対応付けを示す。図１３では、基地局１００が端末２００に対して２ビットの情報（００，０１，１０，１１）を通知することにより、端末２００は、双方の送信方法で使用すべきアンテナポートを一意に特定することができる。２つのアンテナポートを用いた送信ダイバーシチ用のアンテナポートとして、Port#7,#9、Port#8,#10の組み合わせを使用してもよい。例えば、各送信方法で使用されるアンテナポートを別々に通知する場合には３ビット（２ビット（４種類）＋１ビット（２種類））必要であるのに対して、図１３では２ビット必要であるので、１ビット削減可能となる。又は、複数アンテナポートを用いた送信ダイバーシチ用のアンテナポートとしては、常に同一のアンテナポート（例えば、Port #7,#8、Port #9,#10、又はPort #7,#9）のみを使用することを予め設定してもよい。
【０１１６】
また、本実施の形態では、例えば、図９及び図１０に示すように、３２個のePDCCH候補を用いる場合について説明したが、ePDCCH候補の数は３２個に限らない。また、送信方法の切替の対象となるePDCCH候補は、例えば、全てが下り回線（DL）に関する制御情報がマッピングされる領域であってもよく、全てが上り回線（UL）に関する制御情報がマッピングされる領域であってもよく、下り回線（DL）に関する制御情報及び上り回線（UL）に関する制御情報がマッピングされる領域が混在した領域であってもよい。例えば、アグリゲーションレベル１，２，４，８のそれぞれに対して、下り回線の制御情報に対応するePDCCH候補の数を６，６，２，２とし、上り回線の制御情報に対応するePDCCH候補の数を６，６，２，２としてもよい。この場合も、図９及び図１０と同様、ePDCCH候補の総数は３２個となる。
【０１１７】
また、本実施の形態では、送信方法を切り替えるePDCCH候補を、動作例１−１では2ビット、動作例１−２および動作例１−３ではceil（log2(N+1)）ビットまたはceil（log2(N)）ビットで通知したが、これに限定されない。例えば、通知ビット数をＫとし、ePDCCH候補数を（2K-1）分割した位置を通知してもよい。図１４は、Ｋ＝３の例（ePDCCH候補数を７分割する場合）を示す。図１４に示すように、８種類の切替通知信号０〜７が３ビットで表される。図１４に示すように、切替通知信号が０の場合、全てのePDCCH候補に対して複数アンテナの送信ダイバーシチ（Tx diversity）が設定され、切替通知信号が７の場合、全てのePDCCH候補位置に対して１アンテナポート送信（One Tx port）が設定される。また、図１４に示す切替通知信号が１〜６のいずれかの場合、当該切替通知信号に対応するePDCCH候補（切替候補位置）のePDCCH候補番号未満の番号が付与されたePDCCH候補に対して、１アンテナポート送信が設定され、切替候補位置のePDCCH候補番号以上の番号が付与されたePDCCH候補に対して、複数アンテナの送信ダイバーシチが設定される。図１４に示す切替通知信号１から６に対応するePDCCH候補（切替候補位置）は、上位レイヤのシグナリングによって予め定めてもよく、計算で求められるようにしても良い。計算で求める場合の一例として、各切替通知信号に対応するePDCCH候補を、Round(((N+1)/(2K-1))*切替通知信号の値)として求めても良い。関数Round（x）は、ｘを四捨五入した値を返す。例えば、Ｎ＝３２、Ｋ＝３とすると、切替通知信号１はePDCCH 候補位置＃５、切替通知信号２はePDCCH 候補位置＃９、切替通知信号３はePDCCH 候補位置＃１４、切替通知信号４はePDCCH 候補位置＃１９、切替通知信号５はePDCCH 候補位置＃２４、切替通知信号６はePDCCH 候補位置＃２８となる。このようにすると、ceil（log2(N+1)）ビットを使用する場合と比較して、ビット数を削減できる。
【０１１８】
また、送信方法の切替の対象となるePDCCH候補（例えば、図９及び図１０に示す３２個のePDCCH候補）は、例えば、端末２００個別のサーチスペース（UE specific Search Space：UE-SS）を構成する領域でもよく、複数の端末２００に共通のサーチスペース（Common Search Space：C-SS）を構成する領域でもよく、UE-SS及びC-SSをそれぞれ構成する領域が混在したものでもよい。
【０１１９】
［実施の形態２］
実施の形態１では、各アグリゲーションレベルに対応するePDCCH候補の数が予め設定されている場合について説明した。これに対して、本実施の形態では、各アグリゲーションレベルに対応するePDCCH候補の数を複数の候補の中から選択する場合について説明する。
【０１２０】
なお、本実施の形態に係る基地局及び端末は、実施の形態１に係る基地局１００及び端末２００と基本構成が共通するので、図７，８を援用して説明する。
【０１２１】
また、本実施の形態における送信方法の切替は、実施の形態１の動作例１−１又は動作例１−２のいずれを適用してもよく、ここでは説明を省略する。
【０１２２】
例えば、図１５に示すように、実施の形態１の動作例１−２と同様、図１５に示すように、３２個のePDCCH候補では、より低いアグリゲーションレベルに対応するePDCCH候補から順に、ePDCCH候補番号＃０〜＃３１が昇順に付与される。ただし、各ePDCCH候補に対応するアグリゲーションレベルの設定は可変である。
【０１２３】
基地局１００において、設定部１０２は、アグリゲーションレベルを切り替えるePDCCH候補を設定する。具体的には、設定部１０２は、アグリゲーションレベル１と２との切替位置、アグリゲーションレベル２と４との切替位置、アグリゲーションレベル４と８との切替位置、にそれぞれ対応するePDCCH候補を設定する。例えば、図１５では、設定部１０２は、アグリゲーションレベル２の開始位置（アグリゲーションレベル１と２の切替位置に相当）としてePDCCH候補番号＃６を設定する。また、図１５では、設定部１０２は、アグリゲーションレベル４の開始位置（アグリゲーションレベル２と４の切替位置に相当）としてePDCCH候補番号＃１８を設定する。同様に、図１５では、設定部１０２は、アグリゲーションレベル８の開始位置（アグリゲーションレベル４と８の切替位置に相当）としてePDCCH候補番号＃２６を設定する。
【０１２４】
そして、設定部１０２は、異なるアグリゲーションレベル間の切替位置に相当するePDCCH候補（＃６，＃１８，＃２６）を示す情報を誤り訂正符号化部１０３に出力する。これにより、当該情報が端末２００へ通知される。
【０１２５】
一方、端末２００において、受信部２０１は、異なるアグリゲーションレベル間の切替位置に相当するePDCCH候補（＃６，＃１８，＃２６）を示す情報する。そして、制御信号処理部２０５は、異なるアグリゲーションレベル間の切替位置に相当するePDCCH候補（＃６，＃１８，＃２６）を示す情報に基づいて、複数のePDCCH候補（＃０〜＃３１）毎のアグリゲーションレベルを設定する。
【０１２６】
こうすることで、基地局１００及び端末２００では、図１５に示すように、ePDCCH候補番号＃０〜＃５がアグリゲーションレベル１に設定され、ePDCCH候補番号＃６〜＃１７がアグリゲーションレベル２に設定され、ePDCCH候補番号＃１８〜＃２５がアグリゲーションレベル４に設定され、ePDCCH候補番号＃２６〜＃３１がアグリゲーションレベル８に設定される。
【０１２７】
ここで、ePDCCH候補の総数をＮ個とし、アグリゲーションレベルを１，２，４，８とすると、アグリゲーションレベルの切替は３つのePDCCH候補番号で通知されるので、当該通知に必要なビット数は、3*ceil（log2(N+1)）ビットとなる。例えば、図１５では、Ｎ＝３２であるので、3*ceil（log2(N+1)）＝１８ビットになる。
【０１２８】
なお、基地局１００から端末２００に対して、３つのePDCCH候補番号の全てで＃Ｎ（図１５では＃３２）が通知された場合には、全てのePDCCH候補に対するアグリゲーションレベルを１とし、３つのePDCCH候補番号の全てで＃０が通知された場合には、全てのePDCCH候補に対するアグリゲーションレベルを８としてもよい。
【０１２９】
また、アグリゲーションレベルの切替を示すePDCCH候補の通知の範囲を＃０〜＃Ｎ−１とし、基地局１００から端末２００に対して、＃Ｎ−１（図１５では＃３１）が通知された場合に、全てのePDCCH候補に対するアグリゲーションレベルを８としてもよい。この場合、アグリゲーションレベルの切替の通知に必要なビット数は、3*ceil（log2(N)）ビットとなる。例えば、図１５では、Ｎ＝３２であるので、3*ceil（log2(N)）＝１５ビットになり、3*ceil（log2(N+1)）の場合と比較して３ビット削減される。
【０１３０】
このように、端末２００は、アグリゲーションレベルの切替位置に相当するePDCCH候補番号を基地局から通知されることによって各ePDCCH候補に設定されたアグリゲーションレベルを特定する。これにより、例えば、図４に示すようなePDCCH候補毎に送信方法を通知する場合と比較すると、アグリゲーションレベルの通知に必要なビット数を、2*Nビット（図４では６４ビット）から、3*ceil（log2(N+1)）ビット又は3*ceil（log2(N)）ビット（１８ビット又は１５ビット）に削減することができる。
【０１３１】
また、基地局１００は、ePDCCH内のサーチスペースを構成する複数のePDCCH候補において、異なるアグリゲーションレベル間の切替位置に相当するePDCCH候補番号を可変に設定してもよい。例えば、基地局１００は、複数のePDCCH候補の総数における、使用頻度がより高いアグリゲーションレベルに対応するePDCCH候補の数の比率がより高くなるように、
異なるアグリゲーションレベル間の切替位置に相当するePDCCH候補番号を設定してもよい。例えば、RE数が多い場合には低いアグリゲーションレベルに対応するePDCCH候補の数を多くし、RE数が少ない場合には高いアグリゲーションレベルに対応するePDCCH候補の数を多く設定してもよい。これにより、使用される頻度の低いアグリゲーションレベルに対応するePDCCH候補の数を少なくし、使用される頻度の高いアグリゲーションレベルに対応するePDCCH候補の数を多くすることができる。すなわち、アグリゲーションレベル１，２，４，８のそれぞれを構成するePDCCH候補の数の選択に自由度を持たせることができる。よって、基地局１００及び端末２００では、ePDCCH候補の総数を変更させることなく、セル又は端末２００毎に適したアグリゲーションレベルを設定することが可能となり、複数の端末２００間でのePDCCH候補の衝突確率を低減させることができる。
【０１３２】
［実施の形態３］
本実施の形態では、ePDCCHにおいて、PDCCHにおける共有サーチスペース（Common search space：C-SS）と同様のサーチスペースを設定する場合について説明する。
【０１３３】
以下の説明では、PDCCHのC-SSと区別するために、ePDCCHにおける当該サーチスペースを「eC-SS（enhanced Common search space）」と呼ぶ。
【０１３４】
ePDCCHのeC-SSの設定には、PDCCHのC-SSと同様、（１）端末（UE）が個別に受信する制御信号のサーチスペースを共通にすることでリソース領域を有効に利用すること、及び、（２）端末間で共通に受信する制御信号（例えば、システム情報、ページングなど）の送受信を行うこと、の２つの用途が挙げられる。
【０１３５】
上記用途（１）では、eC-SS内のePDCCH候補には個別の端末向けの制御信号がマッピングされる。このため、或る端末がePDCCH領域を使用しない場合には、他の端末に当該ePDCCH領域を割り当てることでリソースの有効活用が可能となる。なお、上記用途（１）では、複数の端末間でアンテナポートを共有することが考えられる。よって、送信ダイバーシチ用の複数のアンテナポートが各端末に設定されると、端末間の多重が容易となる。よって、上記用途（１）に対しては、複数アンテナポートを用いる送信ダイバーシチが有効である。
【０１３６】
また、上記用途（２）では、eC-SS内のePDCCH候補には複数の端末向けの共通の制御信号がマッピングされる。このため、複数の端末が信号を受信できるように、ePDCCHの受信品質を比較的高くする必要がある。よって、上記用途（２）では、eC-SSにおいて高いアグリゲーションレベル（例えばlevel ４，８）のみが使用されることが考えられる。よって、上記用途（２）に対しても、高いアグリゲーションレベル（例えばlevel 4,8）に対してダイバーシチゲインを得るために、複数アンテナポートを用いる送信ダイバーシチが有効である。
【０１３７】
そこで、本実施の形態では、ePDCCHに設定されるeC-SSにおいて、複数アンテナポートを用いる送信ダイバーシチを用いてプリコーディング（ブラインド復号）されるePDCCH候補がより多く設定されるようにする。
【０１３８】
なお、本実施の形態に係る基地局及び端末は、実施の形態１に係る基地局１００及び端末２００と基本構成が共通するので、図７，８を援用して説明する。
【０１３９】
以下、本実施の形態における基地局１００及び端末２００の動作例３−１及び動作例３−２について説明する。
【０１４０】
＜動作例３−１＞
動作例３−１では、eC-SSに対応するePDCCH候補に対する送信方法として、アグリゲーションレベルに依らず、複数アンテナポートを用いる送信ダイバーシチが設定される。
【０１４１】
こうすることで、端末２００は、送信方法のための新たなシグナリング無しで送信方法を特定することができる。例えば、端末２００は、端末２００個別のサーチスペース（UE-SS）において１アンテナポート送信が設定されていても、eC-SSでは複数アンテナポートを用いる送信ダイバーシチを設定することができる。
【０１４２】
＜動作例３−２＞
動作例３−２では、実施の形態１の動作例１−２と同様、低いアグリゲーションレベルに対応するePDCCH候補から高いアグリゲーションレベルに対応するePDCCH候補の順に、ePDCCH候補番号が昇順に付与される。
【０１４３】
ただし、eC-SSに対応するePDCCH候補番号には、UE-SSに対応するePDCCH候補番号よりも大きい番号が付与される。
【０１４４】
以下の説明では、一例として、図１６に示すように、UE-SSのアグリゲーションレベル１，２，４，８のそれぞれに対してePDCCH候補の数を１２，１２，４，４とし、eC-SSのアグリゲーションレベル４，８のそれぞれに対してePDCCH候補の数を８，４とする。すなわち、図１６では、ePDCCH内のサーチスペースを構成する複数のePDCCH候補は、３２個のUE-SS内のePDCCH候補と、１２個のeC-SS内のePDCCH候補とからなり、ePDCCH候補の総数は４４個である。なお、UE-SSには、端末２００向けの個別の制御信号がマッピングされる。一方、eC-SSには、複数の端末２００向けの共通の制御信号又は端末２００向けの個別の制御信号がマッピングされる。
【０１４５】
この場合、図１６に示すように、３２個のUE-SSのePDCCH候補では、より低いアグリゲーションレベルに対応するePDCCH候補から順に、ePDCCH候補番号＃０〜＃３１が昇順に付与される。具体的には、図１６に示すように、ePDCCH候補番号＃０〜＃１１がUE-SSのアグリゲーションレベル１に対応し、ePDCCH候補番号＃１２〜＃２３がUE-SSのアグリゲーションレベル２に対応し、ePDCCH候補番号＃２４〜＃２７がUE-SSのアグリゲーションレベル４に対応し、ePDCCH候補番号＃２８〜＃３１がUE-SSのアグリゲーションレベル８に対応する。
【０１４６】
また、図１６に示すように、１２個のeC-SSのePDCCH候補では、より低いアグリゲーションレベルに対応するePDCCH候補から順に、UE-SSに含まれるePDCCH候補に付与された最大の番号（ePDCCH候補番号＃３１）より大きいePDCCH候補番号＃３２〜＃４３が昇順に付与される。具体的には、図１６に示すように、ePDCCH候補番号＃３２〜＃３８がeC-SSのアグリゲーションレベル４に対応し、ePDCCH候補番号＃４０〜＃４３がeC-SSのアグリゲーションレベル８に対応する。
【０１４７】
ここで、図１６に示すように、実施の形態１の動作例１−２と同様、送信方法を切り替えるePDCCH候補番号（ePDCCHの送信方法の切替基準）として、UE-SSのアグリゲーションレベル４に対応するePDCCH候補番号＃２６が基地局１００から端末２００へ通知される場合について説明する。
【０１４８】
この場合、基地局１００において、プリコーディング部１０５は、図１６に示すように、ePDCCH候補番号＃２６未満の番号が付与されたePDCCH候補（＃０〜＃２５）に対して、１アンテナポート送信を用いてプリコーディング処理を行い、ePDCCH候補番号＃２６以上の番号が付与されたePDCCH候補（＃２６〜＃４３）に対して、２アンテナポートを用いた送信ダイバーシチを用いてプリコーディング処理を行う。
【０１４９】
一方、端末２００において、受信部２０１は、基地局１００から、ePDCCHの送信方法の切替に関する情報としてePDCCH候補番号＃２６を受信する。そこで、制御信号処理部２０５は、図１６に示すように、ePDCCH候補番号＃２６未満の番号が付与されたePDCCH候補（＃０〜＃２５）に対して、１アンテナポート送信を用いてブラインド復号を行い、ePDCCH候補番号＃２６以上の番号が付与されたePDCCH候補（＃２６〜＃４３）に対して、２アンテナポートを用いた送信ダイバーシチを用いてブラインド復号を行う。
【０１５０】
ここで、ePDCCH候補の総数をＮ個とすると、上記送信方法の切替基準となるePDCCH候補の通知に必要なビット数は、ceil（log2(N+1)）ビットとなる。例えば、図１６では、Ｎ＝４４であるので、ceil（log2(N+1)）＝６ビットになる。
【０１５１】
なお、実施の形態１の動作例１−２と同様、基地局１００から端末２００に対して、＃Ｎ（図１６では＃４４）が通知された場合には、全てのePDCCH候補に対する送信方法を１アンテナポート送信とし、＃０が通知された場合には、全てのePDCCH候補に対する送信方法を複数アンテナポートを用いた送信ダイバーシチとしてもよい。
【０１５２】
また、実施の形態１の動作例１−２と同様、上記送信方法の切替基準となるePDCCH候補の通知の範囲を＃０〜＃Ｎ−１とし、基地局１００から端末２００に対して、＃Ｎ−１（図１６では＃４３）が通知された場合に、全てのePDCCH候補に対する送信方法を１アンテナポート送信としてもよい。この場合、上記送信方法の切替基準となるePDCCH候補の通知に必要なビット数は、ceil（log2(N)）ビットとなる。例えば、図１６では、N＝４４であるので、ceil（log2(N)）＝６ビットになる。
【０１５３】
このように、実施の形態１と同様、端末２００は、送信方法の切替基準となるePDCCH候補番号を基地局１００から通知されることによって送信方法を特定できる。これにより、図４に示すようなePDCCH候補毎に送信方法を通知する場合と比較すると、送信方法の切替の通知（Tx diversity or not）に必要なビット数を、Ｎビット（ここではＮ＝４４ビット）から、ceil（log2(N+1)）ビット又はceil（log2(N)）ビット（図１６では６ビット）に削減することができる。
【０１５４】
また、図１６に示すように、eC-SSに対応するePDCCH候補（＃３２〜＃４３）に対して、UE-SSに対応するePDCCH候補（＃０〜＃３１）よりも大きい番号を付与することで、基地局１００及び端末２００では、eC-SSに対応するePDCCH候補に対して複数アンテナポートを用いる送信ダイバーシチが適用されやすくなる。このため、eC-SSでは、ダイバーシチゲインを得ることができ、上記用途（２）に適した通信を行うことが可能となる。
【０１５５】
また、送信方法の切替基準となるePDCCH候補番号の設定によっては、eC-SSに対応するePDCCH候補のいずれかで１アンテナポート送信と複数アンテナポートを用いる送信ダイバーシチとを切り替えることも可能となる。例えば、図１６では、送信方法の切替基準となるePDCCH候補番号として＃３３〜＃４２のいずれか１つが設定された場合に相当する。この場合、eC-SSのうち、一部のePDCCH候補ではフィードバックに応じたプリコーディングによる送信（つまり、１アンテナポート送信）を適用することが可能となる。これにより、eC-SSの一部のePDCCH候補についてUE-SSとして使用でき、上記用途（１）に適した通信を行うことが可能となる。
【０１５６】
これにより、例えば、基地局１００は、セル内の端末数又は通信状況に応じて、eC-SSにおいて、端末２００個別のサーチスペースとして使用するePDCCH候補数と、端末間で共通のサーチスペースとして使用するePDCCH候補数とを切り替えることができる。
【０１５７】
また、本実施の形態において、実施の形態１の動作例１と同様にして、Ｌ未満（Ｌは自然数）のアグリゲーションレベルに対応するePDCCH候補からＬ以上のアグリゲーションレベルに対応するePDCCH候補の順に、ePDCCH候補番号が昇順に付与される場合には、UE-SSのePDCCH候補では、Ｌ未満のアグリゲーションレベルに対応するマッピング候補から順に番号が昇順で付与され、eC-SSのePDCCH候補では、UE-SSに含まれるePDCCH候補に付与された最大の番号より大きいePDCCH候補番号が昇順に付与されればよい。
【０１５８】
［実施の形態４］
本実施の形態では、１アンテナポート送信（One Tx port）と複数アンテナポートを用いる送信ダイバーシチ（Tx diversity）とを切り替える基準として、ePDCCHの割当方法（localized割当及びdistributed割当）を用いる。
【０１５９】
なお、本実施の形態に係る基地局及び端末は、実施の形態１に係る基地局１００及び端末２００と基本構成が共通するので、図７，８を援用して説明する。
【０１６０】
上述したように、localized割当は、周波数スケジューリングゲインを得るための割当方法であり、回線品質情報に基づいて回線品質の良いリソースにePDCCHを割り当てることができる。一方、distributed割当は、周波数軸上にePDCCHを分散させて周波数ダイバーシチゲインを得ることができる。すなわち、localized割当及び１アンテナポート送信は、双方とも１つの端末（UE）向けに受信品質を高める効果があり、distributed割当及び複数アンテナポートを用いる送信ダイバーシチは、双方とも受信品質を安定化させる効果がある。すなわち、localized割当及び１アンテナポート送信はフィードバック情報の信頼性が比較的高い場合に使用されやすく、distributed割当及び複数アンテナポートを用いる送信ダイバーシチはフィードバック情報の信頼性が比較的低い場合に使用されやすい。
【０１６１】
そのため、従来技術として、図１７に示すように、localized割当ではePDCCHでの送信方法として１アンテナポート送信を適用し、distributed割当ではePDCCHでの送信方法として複数アンテナポートを用いた送信ダイバーシチを適用することが提案されている（例えば、非特許文献４参照）。
【０１６２】
本実施の形態では、割当方法と送信方法との組み合わせにおいて、基地局１００から端末２００への制御信号の割当をより柔軟に行うことができる方法について説明する。
【０１６３】
以下、本実施の形態における基地局１００及び端末２００の動作例４−１及び４−２について説明する。
【０１６４】
＜動作例４−１＞
動作例４−１では、基地局１００は、端末２００に対して、ePDCCHの割当方法を切り替えるePDCCH候補、及び、送信方法を切り替えるePDCCH候補を通知する。以下の説明では、図１８に示すように、３２個のePDCCH候補について説明する。
【０１６５】
例えば、基地局１００において、設定部１０２は、ePDCCH候補番号＃２２を、ePDCCHの送信方法の切替基準として設定する。また、設定部１０２は、ePDCCH候補番号＃１９を、ePDCCHの割当方法の切替基準として設定する。設定されたePDCCH候補番号＃２２及び＃１９は、制御信号として端末２００へ通知される。この通知には、例えば、上位レイヤのシグナリングが用いられる。
【０１６６】
プリコーディング部１０５は、図１８に示すように、ePDCCH候補番号＃２２未満の番号が付与されたePDCCH候補（＃０〜＃２１）に対して１アンテナポート送信を用いてプリコーディング処理を行い、ePDCCH候補番号＃２２以上の番号が付与されたePDCCH候補（＃２２〜＃３１）に対して複数アンテナポートを用いた送信ダイバーシチを用いてプリコーディング処理を行う。また、信号割当部１０６は、図１８に示すように、ePDCCH候補番号＃１９未満の番号が付与されたePDCCH候補（＃０〜＃１８）ではlocalized割当によって制御信号をリソースに割り当て、ePDCCH候補番号＃１９以上の番号が付与されたePDCCH候補（＃１９〜＃３１）ではdistributed割当によって制御信号をリソースに割り当てる。
【０１６７】
一方、端末２００において、制御信号処理部２０５は、基地局１００から、ePDCCHの送信方法の切替に関する情報としてePDCCH候補番号＃２２を受信し、ePDCCHの割当方法の切替に関する情報としてePDCCH候補番号＃１９を受信する。
【０１６８】
そこで、制御信号処理部２０５は、図１８に示すように、ePDCCH候補番号＃０〜＃１８に対して、１アンテナポート送信及びlocalized割当を想定してブラインド復号を行う。また、制御信号処理部２０５は、図１８に示すように、ePDCCH候補番号＃１９〜＃２１に対して、１アンテナポート送信及びdistributed割当を想定してブラインド復号を行う。また、制御信号処理部２０５は、図１８に示すように、ePDCCH候補番号＃２２〜＃３１に対して、複数アンテナポートを用いた送信ダイバーシチ及びdistributed割当を想定してブラインド復号を行う。
【０１６９】
ここで、ePDCCH候補の総数をＮ個とすると、送信方法の切替基準となるePDCCH候補及び割当方法の切替基準となるePDCCH候補の通知に必要なビット数は、2*ceil（log2(N+1)）ビットとなる。例えば、図１８では、Ｎ＝３２であるので、2*ceil（log2(N+1)）＝１２ビットになる。
【０１７０】
なお、基地局１００から端末２００に対して、送信方法又は割当方法として、＃Ｎ（図１０では＃３２）が通知された場合には、全てのePDCCH候補に対する送信方法を１アンテナポート送信又はlocalized割当とし、＃０が通知された場合には、全てのePDCCH候補に対する送信方法を複数アンテナポートを用いた送信ダイバーシチ又はdistributed割当としてもよい。
【０１７１】
このように、端末２００は、送信方法及び割当方法の切替基準となるePDCCH候補番号を基地局１００からそれぞれ通知されることによって送信方法を特定できる。例えば、図４に示すようなePDCCH候補毎に送信方法を通知する場合と比較すると、送信方法の切替の通知（Tx diversity or not）に必要なビット数を、Ｎビット（図４では３２ビット）から、ceil（log2(N+1)）ビット（図１８では６ビット）に削減することができる。同様に、例えば、図４に示すようなePDCCH候補毎に割当方法を通知する場合と比較すると、割当方法の切替の通知（Localized or Distributed）に必要なビット数を、Ｎビット（図１８では３２ビット）から、ceil（log2(N+1)）ビット（図１８では６ビット）に削減することができる。
【０１７２】
また、ePDCCH内のサーチスペースを構成する複数のePDCCH候補において、localized割当に対応するePDCCH候補では、１アンテナポート送信を用いてプリコーディング（ブラインド復号）されやすくなり、distributed割当に対応するePDCCH候補では、複数アンテナポートを用いる送信ダイバーシチを用いてプリコーディング（ブラインド復号）されやすくなる。すなわち、基地局１００及び端末２００は、各ePDCCH候補に設定された割当方法に応じて、当該割当方法に適した送信方法に切り替えることができる。すなわち、本実施の形態によれば、１アンテナポート送信とlocalized割当の組み合わせ、又は、複数アンテナポートを用いる送信ダイバーシチとdistributed割当の組み合わせが設定されるePDCCH候補を多く確保することにより、ePDCCHの受信品質を向上させることができる。
【０１７３】
また、従来技術（図１７）と動作例４−１（図１８）とを比較すると、従来技術では図１７に示すように、localized割当と１アンテナポート送信の組み合わせ、及び、distributed割当と複数アンテナポートを用いる送信ダイバーシチの組み合わせしか適用できない。これに対して、動作例４−１では、distributed割当と１アンテナポート送信との組み合わせ（図１８参照）、及び、localized割当と複数アンテナポートを用いる送信ダイバーシチとの組み合わせ（図示せず）もサポートされる。よって、基地局１００から端末２００への制御信号の割当をより柔軟に行うことができる。
【０１７４】
例えば、帯域全体の平均CQI（Channel Quality Indicator：回線品質情報）及び帯域全体のPMI（Precoding Matrix Indicator）を含むフィードバック情報が端末２００からフィードバックされる場合、distributed割当と１アンテナポート送信との組み合わせ（図１８に示すePDCCH候補番号＃１９〜＃２１）が有効である。この場合、帯域全体のCQIを得るためには、周波数スケジューリングゲインが得られるlocalized割当を選択できないので、distributed割当が実施されつつ、PMIからより良いプリコーディングが選択される１アンテナポート送信が適用される。例えば、複数アンテナポートを用いる送信ダイバーシチの場合には必ずdistributed割当が設定されるようにしてもよい。これは、例えば、送信方法の切替基準となるePDCCH候補番号を、割当方法の切替基準となるePDCCH候補番号よりも大きく設定すればよい。これにより、distributed割当と１アンテナポート送信との組み合わせが確保される。
【０１７５】
また、例えば、或る端末でのlocalized割当と、他の端末（UE）での送信ダイバーシチを用いたdistributed割当とによって、双方の信号が同一RBペアにマッピングされる場合、複数の端末間でアンテナポートを共有することができるので、localized割当と複数アンテナポートを用いる送信ダイバーシチとの組み合わせが有効である。
【０１７６】
また、動作例４−１では、全てのePDCCH候補について１アンテナポート送信又はlocalized割当とする運用、及び、全てのePDCCH候補について複数アンテナポートを用いた送信ダイバーシチ又はdistributed割当とする運用も可能である。よって、何れか一方の送信方法又は割当方法のみをサポートしている端末２００又は基地局１００が存在する場合でも、ePDCCH候補の全てを有効に使用することができる。
【０１７７】
また、動作例４−１では、送信方法及び割当方法の切替基準となるePDCCH候補番号を境界として、ePDCCH候補毎に送信方法及び割当方法を切り替えることができる。これにより、R-PDCCHのように上位レイヤのシグナリングによって何れか一方の送信方法又は割当方法のみしか設定されない場合と比較して、ePDCCHにおいてダイナミックな送信方法又は割当方法の切替が可能となる。
【０１７８】
なお、図１８では、送信方法及び割当方法の切替基準となるePDCCH候補番号をそれぞれ設定する場合について説明した。しかし、例えば、基地局１００は、送信方法及び割当方法のうち何れか一方の切替基準となるePDCCH候補番号を設定し、設定したePDCCH候補番号との間隔（番号の幅）を設定することにより、他方の切替基準となるePDCCH候補番号を特定してもよい。つまり、基地局１００から端末２００には、送信方法及び割当方法のうち何れか一方の切替基準となるePDCCH候補番号と、他方の切替基準を特定するための間隔とが通知されてもよい。
【０１７９】
＜動作例４−２＞
動作例４−２では、実施の形態１〜３と動作例４−１とを組み合わせる場合について説明する。ここでは、一例として、実施の形態１の動作例１−２と動作例４−１とを組み合わせる場合について説明するが、この組み合わせに限らず他の動作例同士を組み合わせてもよい。
【０１８０】
例えば、図１９に示すように、ePDCCH候補番号＃０〜＃１１のePDCCH候補がアグリゲーションレベル１に対応し、ePDCCH候補番号＃１２〜＃２３のePDCCH候補がアグリゲーションレベル２に対応し、ePDCCH候補番号＃２４〜＃２７のePDCCH候補がアグリゲーションレベル４に対応し、ePDCCH候補番号＃２８〜＃３１のePDCCH候補がアグリゲーションレベル８に対応する。
【０１８１】
図１９では、基地局１００において、設定部１０２は、アグリゲーションレベル２に対応するePDCCH候補番号＃２２をePDCCHの送信方法の切替基準として設定する。また、設定部１０２は、ePDCCH候補番号＃１９をePDCCHの割当方法の切替基準として設定する。
【０１８２】
これにより、図１９に示すように、端末２００の制御信号処理部２０５は、各ePDCCH候補番号＃０〜＃３１のそれぞれにおいて、送信方法、割当方法及びアグリゲーションレベルの設定を特定し、特定した設定に基づいてブラインド復号を行う。
【０１８３】
こうすることで、動作例４−２によれば、動作例１−２及び動作例４−１同様の効果を得ることができる。
【０１８４】
［実施の形態５］
本実施の形態では、DCI formatの通知方法について説明する。
【０１８５】
なお、本実施の形態に係る基地局及び端末は、実施の形態１に係る基地局１００及び端末２００と基本構成が共通するので、図７，８を援用して説明する。
【０１８６】
ePDCCHでは、各端末に対して下り回線（DL）及び上り回線（UL）についてそれぞれ１つの送信モードが設定（configure）される。各端末は、ePDCCHに対してUL grant用のDCI format及びDL assignment用のDCI formatに対してブラインド復号（モニタ）を行う。
【０１８７】
例えば、C-SS（Common serach space）では、端末は、以下の２種類のサイズ（DCIサイズ）のDCI formatに対してブラインド復号を行う。例えば、端末は各DCIサイズに対して６回（アグリゲーションレベル４，８のそれぞれに対して４回，２回）のブラインド復号を行う。
【０１８８】
（１）DCI format 0/1A/3/3A (これらは同一サイズ)
（２）DCI format 1C
【０１８９】
また、例えば、UE-SS（UE specific serach space）では、送信モードに応じて端末がブラインド復号を行うDCI formatが異なる。
【０１９０】
具体的には、送信モードがUL single antenna port modeの場合、端末は、以下の２種類のDCIサイズのDCI formatに対してブラインド復号を行う。例えば、端末は各DCIサイズに対して１６回（アグリゲーションレベル１，２，４，８のそれぞれに対して６回、６回、２回、２回）のブラインド復号を行う。
【０１９１】
（１）DCI format 0/1A
（２）DCI format X（下り送信モード依存のDCI、Xは１B,1D,1,2,2A,2B,2Cが候補）
【０１９２】
一方、送信モードがUL multi antenna port modeの場合、端末は、以下の３種類のDCIサイズのDCI formatに対してブラインド復号を行う。例えば、端末は各DCIサイズに対して１６回（アグリゲーションレベル１，２，４，８のそれぞれに対して６回、６回、２回、２回）のブラインド復号を行う。
【０１９３】
（１）DCI format 0/1A
（２）DCI format X (下り送信モード依存のDCI)
（３）DCI format Y (上り送信モード依存のDCI、Yは4が候補（3GPP rel.10の場合）)
【０１９４】
なお、ePDCCHに対して、上述した全てのDCIがサポートされるか否かは現在検討中であるが、端末に対して少なくともDL assignment用及びUＬgrant用のDCIとしてそれぞれ１つずつ設定される。
【０１９５】
本実施の形態では、ePDCCH内のサーチスペースを構成する複数のePDCCH候補の各々と、複数のDCI formatのサイズ（DCIサイズ）の種類とをそれぞれ対応付ける。これにより、端末２００は、ePDCCH候補番号に基づいて、何れのDCIサイズのDCI formatが割り当てられるかを特定することができる。つまり、端末２００は、各ePDCCH候補において特定されたDCIサイズのDCI formatに対してのみブラインド復号を行う。
【０１９６】
まず、C-SSについて説明する。
【０１９７】
異なるDCIサイズを有する２種類のDCI format（DCI format 0/1A/3/3A（これらは同一サイズ）及びDCI format 1C）に対して、基地局１００及び端末２００は、例えば、偶数のePDCCH候補番号にはDCI format 0/1A/3/3Aを対応付け、奇数のePDCCH候補番号にはDCI format 1Cを対応付ける。
【０１９８】
これにより、例えば、端末２００において、制御信号処理部２０５は、モジュロ演算（ePDCCH候補番号  mod 2）＝０であるePDCCH候補に対して、DCI format 0/1A/3/3Aを想定したブラインド復号を行い、（ePDCCH候補番号  mod 2）＝１であるePDCCH候補に対して、DCI format 1Cを想定したブラインド復号を行う。
【０１９９】
次に、UE-SSについて説明する。
【０２００】
異なるDCIサイズを有する２種類のDCI format（DCI format 0/1A(これらは同一サイズ）及びDCI format X（下り送信モード依存のDCI）)に対して、基地局１００及び端末２００は、例えば、偶数のePDCCH候補番号にはDCI format 0/1Aを対応付け、奇数のePDCCH候補番号にはDCI format Xを対応付ける。
【０２０１】
これにより、例えば、端末２００において、制御信号処理部２０５は、モジュロ演算（ePDCCH候補番号  mod 2）＝０であるePDCCH候補に対して、DCI format 0/1Aを想定したブラインド復号を行い、（ePDCCH候補番号  mod 2）＝１であるePDCCH候補に対して、DCI format Xを想定したブラインド復号を行う。
【０２０２】
一方、異なるDCIサイズを有する３種類のDCI format（DCI format 0/1A（これらは同一サイズ）、DCI format X（下り送信モード依存のDCI）及びDCI format Y（上り送信モード依存のDCI））に対して、基地局１００及び端末２００は、例えば、モジュロ演算（ePDCCH候補番号  mod 3）＝０となるePDCCH候補にはDCI format 0/1Aを対応付け、（ePDCCH候補番号  mod 3）＝１となるePDCCH候補にはDCI format Xを対応付け、（ePDCCH候補番号  mod 3）＝２となるePDCCH候補にはDCI format Yを対応付ける。
【０２０３】
これにより、例えば、端末２００において、制御信号処理部２０５は、（ePDCCH候補番号  mod 3）＝０であるePDCCH候補に対して、DCI format 0/1Aを想定したブラインド復号を行い、（ePDCCH候補番号  mod 3）＝１であるePDCCH候補に対して、DCI format Xを想定したブラインド復号を行い、（ePDCCH候補番号  mod 3）＝２であるePDCCH候補に対して、DCI format Yを想定してブラインド復号を行う。
【０２０４】
こうすることで、端末２００は、ePDCCH候補番号に基づいて、ブラインド復号対象であるDCIサイズを特定できるので、DCI format通知のためのシグナリングが不要となる。例えば、図４に示すようなePDCCH候補毎にDCI formatを通知する場合と比較すると、DCI formatの通知に必要なビット数を、２種類の場合にはＮビット（図４では３２ビット）、３種類の場合には２Ｎビット（図４では６４ビット）から、０ビットに削減することができる。
【０２０５】
また、本実施の形態では、例えば、実施の形態１〜４と組み合わせることにより、異なるDCIサイズのDCI formatを、各送信方法、各アグリゲーションレベル、又は、各割当方法に対して均等に割り当てることが可能となる。一例として、実施の形態１の動作例１−２では、より低いアグリゲーションレベルに対応するePDCCH候補から順に、ePDCCH候補番号が昇順に付与されている。よって、例えば、ePDCCH候補番号に対するモジュロ演算に基づいてePDCCH候補番号とDCIサイズとを対応付けることで、複数のアグリゲーションレベル間で、異なるDCIサイズを均等に割り当てることができる。
【０２０６】
なお、本実施の形態において、例えば、アグリゲーションレベル１のePDCCH候補のリソース数が少ない場合には、UE-SSのアグリゲーションレベルではDCI format 0/1Aのみをサポートしてもよい。
【０２０７】
また、本実施の形態では、ePDCCH候補番号に対するモジュロ演算に基づいてePDCCH候補番号とDCIサイズとを対応付ける場合について説明したが、DCI formatを切り替えるePDCCH候補番号を基地局１００から端末２００へ通知してもよい。例えば、図２０では、DCI format 0/1AとDCI format Xとの切替位置としてePDCCH候補番号＃１３が通知され、DCI format XとDCI format Yとの切替位置としてePDCCH候補番号＃２６が通知される。図２０に示すように、各アグリゲーションレベルに対応するePDCCH候補数の比率が設定されている場合、各DCI formatに対して、各アグリゲーションレベルのePDCCH候補数の比率に応じた個数のePDCCH候補がそれぞれ割り振られる。例えば、図２０では、DCI format 0/1Aに対するePDCCH候補番号＃０〜＃１２の１３個のePDCCH候補、DCI format Xに対するePDCCH候補番号＃１３〜＃２５の１３個のePDCCH候補、及び、DCI format Y0/1Aに対するePDCCH候補番号＃２６〜＃３１の６個のePDCCH候補がそれぞれ、比率に応じて各アグリゲーションレベルに割り当てられる。
【０２０８】
［実施の形態６］
本実施の形態では、１アンテナポートを用いた送信ダイバーシチをサポートする場合について説明する。
【０２０９】
なお、本実施の形態に係る基地局及び端末は、実施の形態１に係る基地局１００及び端末２００と基本構成が共通するので、図７，８を援用して説明する。
【０２１０】
１アンテナポートを用いた送信ダイバーシチとしては、例えば、RBF（Random Beam Forming）、CDDなどが挙げられる。RBFでは、周波数領域又は時間領域においてRB毎にプリコーディングを変えることで、プリコーディングのダイバーシチゲインが得られる。また、CDDでは、周波数領域でチャネルを変動させることで、周波数ダイバーシチゲインが得られる。
【０２１１】
ここで、チャネル推定精度が劣化しない範囲では、１アンテナポートを用いた送信ダイバーシチと１アンテナポート送信（つまり、フィードバックに基づくプリコーディングによる送信）とで使用するアンテナポートが変更されない場合、基地局は、端末に気付かれることなく、送信方法を切り替えることができる。すなわち、端末は、RBペア又は複数のRBをまとめた単位でチャネル推定を行うので、このチャネル推定を行う範囲での変動量がチャネル推定精度の劣化に影響を与えない程度であれば、１アンテナポートを用いた送信ダイバーシチとフィードバックに基づくプリコーディングを行う１アンテナポート送信とを意識せずに信号を受信することができる。
【０２１２】
また、１アンテナポートを用いた送信ダイバーシチでは、RS（Reference Signal）において１つのアンテナポートにパワーを集中させることで、２つ以上のアンテナポートを使用するSFBC又はlong delay CDDなどの複数アンテナポートを用いる送信ダイバーシチと比較して、チャネル推定精度を向上させることができる。
【０２１３】
しかしながら、フィードバックに基づくプリコーディングを行う１アンテナポート送信用として端末個別に割り当てられているアンテナポートが、１アンテナポートを用いた送信ダイバーシチ用のアンテナポートとしてそのまま使用されると、端末間でRSを共有しにくくなる。このため、RSのパワーが複数のアンテナポートに分散してしまうという課題が生じる。例えば、１アンテナポート送信用として、アンテナポート７が割り当てられている端末と、アンテナポート８が割り当てられている端末とが同一のRBペアを用いてCDM（Code Division Multiplexing）多重されている場合について説明する。この場合、１アンテナポートを用いた送信ダイバーシチ時においても上記アンテナポートがそれぞれそのまま使用されると、CDM多重されているアンテナポート７，８の双方とも使用されることによりRSのパワーが分散し、各アンテナポートにおけるRSのパワーが低くなってしまう。
【０２１４】
上述したパワーの問題は、特に、CDM多重される、アンテナポート７，８の組み合わせ、又は、アンテナポート９，１０の組み合わせにおいて生じる可能性がある。つまり、これらのアンテナポートの組み合わせではRSのパワーが各アンテナポートに分散してしまう。
【０２１５】
ここで、フィードバックに基づくプリコーディングを行う１アンテナポート送信では、受信品質が良好の領域において、端末毎に異なるアンテナポートを割り当てることでプリコーディングを異ならせる必要がある。一方、１アンテナポートを用いた送信ダイバーシチでは、受信品質が劣悪な領域において端末間で同一アンテナポートを使用してRSのパワーを集中させることが好ましい。
【０２１６】
また、ePDCCHではQPSK変調の適用が想定されるので、RSのパワーがePDCCHのパワーと異なっても端末はePDCCHを受信できる。
【０２１７】
また、上述したように、低いアグリゲーションレベル（例えばlevel１，２）が使用される場合には、フィードバック情報に基づいてプリコーディングを選択する１アンテナポート送信が有効である。また、高いアグリゲーションレベル（例えばlevel４，８）が使用される場合には、ダイバーシチゲインを得るために、送信ダイバーシチが有効である。
【０２１８】
そこで、本実施の形態では、基地局１００は、アグリゲーションレベルに応じて、使用するアンテナポートを切り替える。
【０２１９】
また、図２１に示すように、基地局１００は、各端末２００に対して、使用するアンテナポートを２ビット（００，０１，１０，１１）で通知する。
【０２２０】
図２１に示すように、アグリゲーションレベル１，２では、アンテナポート７，８，９，１０のいずれかが使用されるのに対して、アグリゲーションレベル４，８では、アンテナポート７又は９のいずれかが使用される。具体的には、図２１に示すように、‘００’及び‘０１’では、アグリゲーションレベル１，２において互いに異なるアンテナポート７，８が設定されるのに対して、アグリゲーションレベル４，８では同一のアンテナポート７が設定される。同様に、図２１に示すように、‘１０’及び‘１１’では、アグリゲーションレベル１，２において互いに異なるアンテナポート９，１０が設定されるのに対して、アグリゲーションレベル４，８では同一のアンテナポート９が設定される。
【０２２１】
こうすることで、低いアグリゲーションレベル（図２１ではlevel １，２）では、異なる端末２００毎に異なるアンテナポートが割り当てられる。よって、フィードバックに基づくプリコーディングを行う１アンテナポート送信の際には、それぞれの端末２００に対して異なるプリコーディングを設定できる。
【０２２２】
一方、高いアグリゲーションレベル（図２１ではlevel ４，８）では、異なる端末２００に同一アンテナポートが割り当てられる。よって、１アンテナポートを用いた送信ダイバーシチを使用する端末２００同士を同一RBペア内に多重する際、同一のアンテナポートを共有でき、RSのアンテナポートあたりのパワーを集中させて上げることができるので、チャネル推定精度を向上させることができる。
【０２２３】
また、アグリゲーションレベルによって使用するアンテナポートが変わらない場合（例えば、図２１に示す‘００’又は‘１０’）、端末２００は、フィードバックに基づくプリコーディングを行う１アンテナポート送信と、１アンテナポートを用いた送信ダイバーシチとを意識することなく信号を受信することができる。よって、この場合には、基地局１００は、当該アンテナポートが設定された端末２００に対して、いずれの送信方法を用いてもよい。
【０２２４】
また、本実施の形態におけるアンテナポートの切替は、実施の形態１〜５における１アンテナポート送信と複数アンテナポートを用いたダイバーシチとの切替を、１アンテナポート送信に使用するアンテナポート７，８，９，１０とアンテナポートを限定した１アンテナポート送信で使用するアンテナポート７，９との切替と、置き換えて適用するとも言える。
【０２２５】
なお、本実施の形態において、１アンテナポート送信、複数アンテナポートを用いる送信ダイバーシチ、及び、１アンテナポートを用いる送信ダイバーシチの３つの送信方法を切り替えられるように、アンテナポート数の変更を基地局１００から端末２００へ通知するようにしてもよい。
【０２２６】
例えば、回線品質が非常に劣悪な場合、RSのチャネル推定精度が高い１アンテナポートを用いた送信ダイバーシチが適している。また、チャネル推定精度は確保できるものの、回線品質がある程度劣悪である場合、複数アンテナポートを用いる送信ダイバーシチが適している。また、回線品質が良好であり、端末２００の移動速度が比較的遅い場合、フィードバックベースのプリコーディングを行う１アンテナポート送信によって周波数スケジューリングゲインを得ることが適している。基地局１００は、これらの送信方法の切替位置に相当するePDCCH候補番号を通知してもよい。
【０２２７】
図２２に示す一例では、基地局１００は、端末２００に対して、ePDCCH候補番号＃１７及び＃２６を通知している。よって、端末２００は、図２２に示すように、ePDCCH候補番号＃０〜＃１６では１アンテナポート送信を想定し、ePDCCH候補番号＃１７〜＃２５では複数アンテナポートを用いる送信ダイバーシチを想定し、ePDCCH候補番号＃２６〜＃３１では１アンテナポートを用いた送信ダイバーシチを想定して、ブラインド復号を行う。
【０２２８】
ここで、ePDCCH候補の総数をＮ個とすると、上記送信方法の切替基準となるePDCCH候補の通知に必要なビット数は、2*ceil（log2(N+1)）ビットとなる。例えば、図２２では、Ｎ＝３２であるので、2*ceil（log2(N+1)）＝１２ビットになる。また、基地局１００から端末２００に対して、２つの通知が双方とも＃Ｎ（図２２では＃３２）の場合に、全てのePDCCH候補に対する送信方法を１アンテナポート送信とし、２つの通知が双方とも＃０の場合に、全てのePDCCH候補に対する送信方法を１アンテナポートを用いた送信ダイバーシチとしてもよい。
【０２２９】
また、図２２において、実施の形態１と同様、１アンテナポート送信用のアンテナポートから、複数アンテナポートを用いた送信ダイバーシチ用のアンテナポートが一意に特定できるように、双方の送信方法で使用されるアンテナポートを予め対応付けてもよい（例えば、図１３参照）。又は、複数アンテナポートを用いた送信ダイバーシチ用のアンテナポートとしては、常に同一のアンテナポートのみを使用することを予め設定してもよい。
【０２３０】
また、本実施の形態では、例えば、図２２に示すように、３２個のePDCCH候補を用いる場合について説明したが、ePDCCH候補の数は３２個に限らない。また、実施の形態１と同様、送信方法の切替の対象となるePDCCH候補は、例えば、全てが下り回線（DL）に関する制御情報がマッピングされる領域であってもよく、全てが上り回線（UL）に関する制御情報がマッピングされる領域であってもよく、下り回線（DL）に関する制御情報及び上り回線（UL）に関する制御情報がマッピングされる領域が混在した領域であってもよい。例えば、アグリゲーションレベル１，２，４，８のそれぞれに対して、下り回線の制御情報に対応するePDCCH候補の数を６，６，２，２とし、上り回線の制御情報に対応するePDCCH候補の数を６，６，２，２としてもよい。この場合も、図２２と同様、ePDCCH候補の総数は３２個となる。
【０２３１】
また、送信方法の切替の対象となるePDCCH候補は、例えば、端末２００個別のサーチスペース（UE-SS）を構成する領域でもよく、複数の端末２００に共通のサーチスペース（C-SS）を構成する領域でもよく、UE-SS及びC-SSをそれぞれ構成する領域が混在したものでもよい。
【０２３２】
以上、本発明の各実施の形態について説明した。
【０２３３】
［他の実施の形態］
［１］上記各実施の形態において、アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０２３４】
例えば3GPP LTEにおいては、アンテナポートが何本の物理アンテナから構成されるかは規定されず、基地局が異なる参照信号（Reference signal）を送信できる最小単位として規定されている。
【０２３５】
また、アンテナポートはプリコーディングベクトル（Precoding vector）の重み付けを乗算する最小単位として規定されることもある。
【０２３６】
［２］上記各実施の形態では、本発明をハードウェアで構成する場合を例にとって説明したが、本発明はハードウェアとの連携においてソフトウェアでも実現することも可能である。
【０２３７】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２３８】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）又は、ＬＳＩ内部の回路セルの接続若しくは設定を再構成可能なリコンフィギュラブル・プロセッサーを利用してもよい。
【０２３９】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０２４０】
本開示の受信装置は、複数のマッピング候補のいずれかにマッピングされた信号を受信する受信部と、前記複数のマッピング候補毎に設定されるアグリゲーションレベルに応じて、受信装置からフィードバックされる情報に基づくプリコーディングを行う１つのアンテナポートを用いた第１の送信方法、及び、複数のアンテナポートを用いた送信ダイバーシチを行う第２の送信方法のいずれか一方を用いて、前記複数のマッピング候補に対してブラインド復号を行う処理部と、を具備する構成を採る。
【０２４１】
本開示の受信装置では、前記処理部は、前記複数のマッピング候補のうち、所定値未満のアグリゲーションレベルに対応するマッピング候補に対して前記第１の送信方法を用いてブラインド復号を行い、前記所定値以上のアグリゲーションレベルに対応するマッピング候補に対して前記第２の送信方法を用いてブラインド復号を行う。
【０２４２】
本開示の受信装置では、より低いアグリゲーションレベルに対応するマッピング候補から順に番号が昇順で付与され、前記受信部は、前記複数のマッピング候補に付与された番号のうち、送信方法の切替位置に相当するマッピング候補に付与された第１の番号を受信し、前記処理部は、前記第１の番号未満の番号が付与されたマッピング候補に対して前記第１の送信方法を用いてブラインド復号を行い、前記第１の番号以上の番号が付与されたマッピング候補に対して前記第２の送信方法を用いてブラインド復号を行う。
【０２４３】
本開示の受信装置では、Ｌ未満（前記Ｌは自然数）のアグリゲーションレベルに対応するマッピング候補から前記Ｌ以上のアグリゲーションレベルに対応するマッピング候補の順に番号が昇順で付与され、前記受信部は、前記複数のマッピング候補に付与された番号のうち、送信方法の切替位置に相当するマッピング候補に付与された第１の番号を受信し、前記処理部は、前記第１の番号未満の番号が付与されたマッピング候補に対して前記第１の送信方法を用いてブラインド復号を行い、前記第１の番号以上の番号が付与されたマッピング候補に対して前記第２の送信方法を用いてブラインド復号を行う。
【０２４４】
本開示の受信装置では、前記受信部は、前記Ｌ以上のアグリゲーションレベルに前記複数のアグリゲーションレベルが含まれる場合、前記複数のアグリゲーションレベルにおいて、前記第１の送信方法及び前記第２の送信方法のいずれかを用いてブラインド復号を行う。
【０２４５】
本開示の受信装置では、前記複数のマッピング候補において、異なるアグリゲーションレベル間の切替位置に相当するマッピング候補に付与された番号を示す第２の番号が可変に設定される。
【０２４６】
本開示の受信装置では、前記第２の番号は、前記複数のマッピング候補の総数における、使用頻度がより高いアグリゲーションレベルに対応するマッピング候補の数の比率がより高くなるように設定される。
【０２４７】
本開示の受信装置では、前記受信部は、前記第２の番号を受信し、前記処理部は、前記第２の番号に基づいて、前記複数のマッピング候補毎のアグリゲーションレベルを設定する。
【０２４８】
本開示の受信装置では、前記複数のマッピング候補は、各受信装置向けの個別の信号がマッピングされる第１のマッピング候補群と、複数の受信装置向けの共通の信号又は各受信装置向けの個別の信号がマッピングされる第２のマッピング候補群とからなり、前記第１のマッピング候補群では、より低いアグリゲーションレベルに対応するマッピング候補から順に番号が昇順で付与され、前記第２のマッピング候補群では、より低いアグリゲーションレベルに対応するマッピング候補から順に、前記第１のマッピング候補群に含まれるマッピング候補に付与された最大の番号より大きい番号が昇順で付与される。
【０２４９】
本開示の受信装置では、前記複数のマッピング候補は、各受信装置向けの個別の信号がマッピングされる第１のマッピング候補群と、複数の受信装置向けの共通の信号又は各受信装置向けの個別の信号がマッピングされる第２のマッピング候補群とからなり、前記第１のマッピング候補群では、前記Ｌ未満のアグリゲーションレベルに対応するマッピング候補から順に番号が昇順で付与され、前記第２のマッピング候補群では、前記Ｌ以上のアグリゲーションレベルに対応するマッピング候補から順に、前記第１のマッピング候補群に含まれるマッピング候補に付与された最大の番号より大きい番号が昇順で付与される。
【０２５０】
本開示の受信装置では、前記信号は複数のフォーマットのうちいずれか１つを用いて送信され、前記複数のマッピング候補の各々と、前記複数のフォーマットとがそれぞれ対応付けられ、前記処理部は、前記複数のマッピング候補の各々に対応付けられたフォーマットに対してのみブラインド復号を行う。
【０２５１】
本開示の送信装置は、複数のマッピング候補毎に設定されるアグリゲーションレベルに応じて、受信装置からフィードバックされる情報に基づくプリコーディングを行う１つのアンテナポートを用いた第１の送信方法、及び、複数のアンテナポートを用いた送信ダイバーシチを行う第２の送信方法のいずれか一方を用いて、前記複数のマッピング候補のうちの１つにマッピングされる信号に対してプリコーディングを行うプリコーディング部と、プリコーディングされた前記信号を送信する送信部と、を具備する構成を採る。
【０２５２】
本開示の受信方法は、複数のマッピング候補のいずれかにマッピングされた信号を受信し、前記複数のマッピング候補毎に設定されるアグリゲーションレベルに応じて、受信装置からフィードバックされる情報に基づくプリコーディングを行う１つのアンテナポートを用いた第１の送信方法、及び、複数のアンテナポートを用いた送信ダイバーシチを行う第２の送信方法のいずれか一方を用いて、前記複数のマッピング候補に対してブラインド復号を行う。
【０２５３】
本開示の送信方法は、複数のマッピング候補毎に設定されるアグリゲーションレベルに応じて、受信装置からフィードバックされる情報に基づくプリコーディングを行う１つのアンテナポートを用いた第１の送信方法、及び、複数のアンテナポートを用いた送信ダイバーシチを行う第２の送信方法のいずれか一方を用いて、前記複数のマッピング候補のうちの１つにマッピングされる信号に対してプリコーディングを行い、プリコーディング後の前記信号を送信する。
【０２５４】
２０１２年２月１６日出願の特願２０１２−０３１６５３および２０１２年３月１３日出願の特願２０１２−０５５４３３の日本出願に含まれる明細書、図面および要約書の開示内容は、すべて本願に援用される。
【産業上の利用可能性】
【０２５５】
本発明は、移動体通信システムにおいて有用である。
【符号の説明】
【０２５６】
１００  基地局
２００  端末
１０１  割当情報生成部
１０２  設定部
１０３，２０６  誤り訂正符号化部
１０４，２０７  変調部
１０５  プリコーディング部
１０６，２０８  信号割当部
１０７，２０９  送信部
１０８，２０１  受信部
１０９，２０３  復調部
１１０，２０４  誤り訂正復号部
２０２  信号分離部
２０５  制御信号処理部
【図１】
2020005313.tif 000003
【図２】
2020005313.tif 000004
【図３】
2020005313.tif 000005
【図４】
2020005313.tif 000006
【図５】
2020005313.tif 000007
【図６】
2020005313.tif 000008
【図７】
2020005313.tif 000009
【図８】
2020005313.tif 000010
【図９】
2020005313.tif 000011
【図１０】
2020005313.tif 000012
【図１１】
2020005313.tif 000013
【図１２】
2020005313.tif 000014
【図１３】
2020005313.tif 000015
【図１４】
2020005313.tif 000016
【図１５】
2020005313.tif 000017
【図１６】
2020005313.tif 000018
【図１７】
2020005313.tif 000019
【図１８】
2020005313.tif 000020
【図１９】
2020005313.tif 000021
【図２０】
2020005313.tif 000022
【図２１】
2020005313.tif 000023
【図２２】
2020005313.tif 000024